(57)【要約】【課題】  発光性能を可能な限り向上させることが可能な有機発光素子を提供する。【解決手段】  有機ＥＬ素子１００は、光反射性を有する下部電極層１０と光透過性を有する上部電極層３０との間に有機層２０が設けられた構成を有している。この有機層２０は、複数の発光層（青色発光層２２，２４，緑色発光層２６，赤色発光層２８）が積層された積層構造を有している。下部電極層１０と各発光層との間の距離は、Ｌ＝（ｍ−Φ／２π）λ／２の関係式を満たしている。ここで、「Ｌ」は下部電極層１０と各発光層との間の距離（光学的距離）、「ｍ」は次数（０または整数）、「Φ」は各発光層において発生した光が下部電極層１０において反射する際に生じる位相シフト、「λ」は各発光層において発生した光が有機ＥＬ素子１００から放出される際のスペクトルのピーク波長をそれぞれ表している。【選択図】    図１
2007012369.tif 000002
【特許請求の範囲】
【請求項１】
光反射性を有する第１の電極層と光透過性を有する第２の電極層との間に、複数の発光層が積層された積層構造を有する有機層が設けられており、
前記第１の電極層と前記複数の発光層のうちの各発光層との間の距離が、下記に示した関係式を満たしている
ことを特徴とする有機発光素子。
Ｌ＝（ｍ−Φ／２π）λ／２
（「Ｌ」は第１の電極層と各発光層との間の距離（光学的距離）、「ｍ」は次数（０または整数）、「Φ」は各発光層において発生した光が第１の電極層において反射する際に生じる位相シフト、「λ」は各発光層において発生した光が有機発光素子から放出される際のスペクトルのピーク波長をそれぞれ表す。）
【請求項２】
前記複数の発光層が、前記第１の電極層に近い側から順に、青色光を発生させる第１の青色発光層および第２の青色発光層と、緑色光を発生させる緑色発光層と、赤色光を発生させる赤色発光層と、を含んでおり、
前記関係式中の次数ｍが、前記第１の青色発光層に関してｍ＝０、前記第２の青色発光層に関してｍ＝１、前記緑色発光層に関してｍ＝１、前記赤色発光層に関してｍ＝１である
ことを特徴とする請求項１記載の有機発光素子。
【請求項３】
光反射性を有する第１の電極層と光透過性を有する第２の電極層との間に、複数の発光層が積層された積層構造を有する有機層が設けられ、その有機層において発生した光をそれぞれ青色光、緑色光および赤色光として放出する青色有機発光素子、緑色有機発光素子および赤色有機発光素子、を含み、
前記第１の電極層と前記複数の発光層のうちの各発光層との間の距離が、前記青色有機発光素子、前記緑色有機発光素子および前記赤色有機発光素子のいずれにおいても下記に示した関係式を満たしていると共に、
前記第１の電極層と前記有機層との間の距離が、前記青色有機発光素子、前記緑色有機発光素子および前記赤色有機発光素子のうちの少なくとも１つにおいて異なっている
ことを特徴とする有機発光素子。
Ｌ＝（ｍ−Φ／２π）λ／２
（「Ｌ」は第１の電極層と各発光層との間の距離（光学的距離）、「ｍ」は次数（０または整数）、「Φ」は各発光層において発生した光が第１の電極層において反射する際に生じる位相シフト、「λ」は各発光層において発生した光が青色有機発光素子、緑色有機発光素子および赤色有機発光素子から放出される際のスペクトルのピーク波長をそれぞれ表す。）
【請求項４】
前記第１の電極層と前記有機層との間の距離が、前記青色有機発光素子および前記赤色有機発光素子よりも前記緑色有機発光素子において大きくなっている
ことを特徴とする請求項３記載の有機発光素子。
【請求項５】
前記緑色有機発光素子において、前記第１の電極層と前記有機層との間に透明導電層が設けられており、
前記青色有機発光素子および前記赤色有機発光素子のいずれにおいても、前記第１の電極層と前記有機層との間に前記透明導電層が設けられていない
ことを特徴とする請求項４記載の有機発光素子。
【請求項６】
前記青色有機発光素子、前記緑色有機発光素子および前記赤色有機発光素子のいずれにおいても、前記第１の電極層と前記有機層との間に透明導電層が設けられており、
その透明導電層の厚さが、前記青色有機発光素子および前記赤色有機発光素子よりも前記緑色有機発光素子において大きくなっている
ことを特徴とする請求項４記載の有機発光素子。
【請求項７】
前記複数の発光層が、前記第１の電極層に近い側から順に、青色光を発生させる第１の青色発光層と、緑色光を発生させる緑色発光層と、青色光を発生させる第２の青色発光層と、赤色光を発生させる赤色発光層と、を含んでおり、
前記関係式中の次数ｍが、前記第１の青色発光層に関してｍ＝０、前記緑色発光層に関してｍ＝１、前記第２の青色発光層に関してｍ＝１、前記赤色発光層に関してｍ＝１である
ことを特徴とする請求項３記載の有機発光素子。
【請求項８】
前記複数の発光層が、前記第１の電極層に近い側から順に、青色光を発生させる第１の青色発光層と、緑色光を発生させる緑色発光層と、青色光を発生させる第２の青色発光層と、赤色光を発生させる赤色発光層と、青色光を発生させる第３の青色発光層と、を含んでおり、
前記関係式中の次数ｍが、前記第１の青色発光層に関してｍ＝０、前記緑色発光層に関してｍ＝１、前記第２の青色発光層に関してｍ＝１、前記赤色発光層に関してｍ＝１、前記第３の青色発光層に関してｍ＝２である
ことを特徴とする請求項３記載の有機発光素子。
【請求項９】
光反射性を有する第１の電極層と光透過性を有する第２の電極層との間に、複数の発光層が積層された積層構造を有する有機層が設けられた有機発光素子を備え、
前記第１の電極層と前記複数の発光層のうちの各発光層との間の距離が、下記に示した関係式を満たしている
ことを特徴とする有機発光装置。
Ｌ＝（ｍ−Φ／２π）λ／２
（「Ｌ」は第１の電極層と各発光層との間の距離（光学的距離）、「ｍ」は次数（０または整数）、「Φ」は各発光層において発生した光が第１の電極層において反射する際に生じる位相シフト、「λ」は各発光層において発生した光が有機発光素子から放出される際のスペクトルのピーク波長をそれぞれ表す。）
【請求項１０】
光反射性を有する第１の電極層と光透過性を有する第２の電極層との間に、複数の発光層が積層された積層構造を有する有機層が設けられ、その有機層において発生した光をそれぞれ青色光、緑色光および赤色光として放出する青色有機発光素子、緑色有機発光素子および赤色有機発光素子、を含む有機発光素子を備え、
前記第１の電極層と前記複数の発光層のうちの各発光層との間の距離が、前記青色有機発光素子、前記緑色有機発光素子および前記赤色有機発光素子のいずれにおいても下記に示した関係式を満たしていると共に、
前記第１の電極層と前記有機層との間の距離が、前記青色有機発光素子、前記緑色有機発光素子および前記赤色有機発光素子のうちの少なくとも１つにおいて異なっている
ことを特徴とする有機発光装置。
Ｌ＝（ｍ−Φ／２π）λ／２
（「Ｌ」は第１の電極層と各発光層との間の距離（光学的距離）、「ｍ」は次数（０または整数）、「Φ」は各発光層において発生した光が第１の電極層において反射する際に生じる位相シフト、「λ」は各発光層において発生した光が青色有機発光素子、緑色有機発光素子および赤色有機発光素子から放出される際のスペクトルのピーク波長をそれぞれ表す。）
【発明の詳細な説明】
【技術分野】
【０００１】
本発明は、有機エレクトロルミネセンス（ＥＬ；Electro Luminescence）現象を利用して発光する有機発光素子および有機発光素子を備えた有機発光装置に関する。
【背景技術】
【０００２】
近年、フラットパネルディスプレイの１つとして、有機ＥＬ現象を利用して画像を表示する有機発光装置（いわゆる有機ＥＬディスプレイ）が注目されている。この有機ＥＬディスプレイは、有機発光素子（いわゆる有機ＥＬ素子）の発光現象を利用して画像を表示する自発光型のディスプレイであるため、視野角が広く、消費電力が小さく、かつ軽量である点において優れている。
【０００３】
有機ＥＬディスプレイに搭載される有機ＥＬ素子は、主に、２つの電極層の間に有機層が設けられた構成を有している。この有機層は、発光源としての発光層と共に、その発光層を発光させるための正孔輸送層や電子輸送層などを併せて含んでいる。
【０００４】
有機ＥＬ素子の構成に関しては、発光性能を向上させることを目的として、既にいくつかの態様が提案されている。
【０００５】
具体的には、発光効率を高めると共に発光寿命を長期化するために、複数の発光層が積層されることにより直列に接続された積層構造（いわゆるタンデム構造）を有するように有機層を構成する技術が知られている（例えば、特許文献１〜７参照。）。この種の有機層では、任意の数の発光層を積層させることが可能である。この場合には、特に、青色光を発生させる青色発光層と、緑色光を発生させる緑色発光層と、赤色光を発生させる赤色発光層とを積層させることにより、それらの青色光、緑色光および赤色光の合成光として白色光を発生させることが可能である。
【特許文献１】特開昭６１−０３７８５８号公報
【特許文献２】特開平１１−３２９７４８号公報
【特許文献３】特開平１１−３２９７４９号公報
【特許文献４】特開２００３−０４５６７６号公報
【特許文献５】特開２００３−２６４０８５号公報
【特許文献６】特開２００３−２７２８６０号公報
【特許文献７】特開２００４−０３９６１７号公報
【０００６】
また、有機層において発生した光の中から所望の色（波長域）の光を効率よく取り出すために、複数の有機ＥＬ素子の間において光学的距離の差異を利用して光の干渉現象を生じさせる技術が知られている（例えば、特許文献８〜１２参照。）。この種の有機ＥＬ素子では、光の３原色に対応する３色の光、すなわち青色光、緑色光および赤色光を個別に放出させることが可能である。
【特許文献８】特開２０００−２４３５７３号公報
【特許文献９】特開２０００−３２３２７７号公報
【特許文献１０】特開２００３−１４２２７７号公報
【特許文献１１】特開２００４−１３４１０１号公報
【特許文献１２】特開２００４−２５３３８９号公報
【発明の開示】
【発明が解決しようとする課題】
【０００７】
ところで、最近では、有機ＥＬディスプレイの実用性が広く認知されたことに伴い、表示性能の向上に関する要望が一層高まりつつある。このような技術的背景を踏まえると、今後益々有機ＥＬディスプレイの市場普及を促進させるためには、表示性能を可能な限り向上させるために、その表示性能に寄与する有機ＥＬ素子の発光性能を可能な限り向上させる必要がある。しかしながら、従来の有機ＥＬディスプレイでは、有機ＥＬ素子の発光性能を向上させる観点において未だ十分とは言えないため、多分に改善の余地がある。
【０００８】
本発明はかかる問題点に鑑みてなされたもので、その第１の目的は、発光性能を可能な限り向上させることが可能な有機発光素子を提供することにある。
【０００９】
また、本発明の第２の目的は、表示性能を可能な限り向上させることが可能な有機発光装置を提供することにある。
【課題を解決するための手段】
【００１０】
本発明の第１の観点に係る有機発光素子は、光反射性を有する第１の電極層と光透過性を有する第２の電極層との間に複数の発光層が積層された積層構造を有する有機層が設けられており、第１の電極層と複数の発光層のうちの各発光層との間の距離が下記に示した関係式を満たしているものである。
Ｌ＝（ｍ−Φ／２π）λ／２
（「Ｌ」は第１の電極層と各発光層との間の距離（光学的距離）、「ｍ」は次数（０または整数）、「Φ」は各発光層において発生した光が第１の電極層において反射する際に生じる位相シフト、「λ」は各発光層において発生した光が有機発光素子から放出される際のスペクトルのピーク波長をそれぞれ表す。）
【００１１】
本発明の第２の観点に係る有機発光素子は、光反射性を有する第１の電極層と光透過性を有する第２の電極層との間に複数の発光層が積層された積層構造を有する有機層が設けられ、その有機層において発生した光をそれぞれ青色光、緑色光および赤色光として放出する青色有機発光素子、緑色有機発光素子および赤色有機発光素子を含み、第１の電極層と複数の発光層のうちの各発光層との間の距離が青色有機発光素子、緑色有機発光素子および赤色有機発光素子のいずれにおいても下記に示した関係式を満たしていると共に、第１の電極層と有機層との間の距離が青色有機発光素子、緑色有機発光素子および赤色有機発光素子のうちの少なくとも１つにおいて異なっているものである。
Ｌ＝（ｍ−Φ／２π）λ／２
（「Ｌ」は第１の電極層と各発光層との間の距離（光学的距離）、「ｍ」は次数（０または整数）、「Φ」は各発光層において発生した光が第１の電極層において反射する際に生じる位相シフト、「λ」は各発光層において発生した光が青色有機発光素子、緑色有機発光素子および赤色有機発光素子から放出される際のスペクトルのピーク波長をそれぞれ表す。）
【００１２】
本発明の第１の観点に係る有機発光装置は、光反射性を有する第１の電極層と光透過性を有する第２の電極層との間に複数の発光層が積層された積層構造を有する有機層が設けられた有機発光素子を備え、第１の電極層と複数の発光層のうちの各発光層との間の距離が下記に示した関係式を満たしているものである。
Ｌ＝（ｍ−Φ／２π）λ／２
（「Ｌ」は第１の電極層と各発光層との間の距離（光学的距離）、「ｍ」は次数（０または整数）、「Φ」は各発光層において発生した光が第１の電極層において反射する際に生じる位相シフト、「λ」は各発光層において発生した光が有機発光素子から放出される際のスペクトルのピーク波長をそれぞれ表す。）
【００１３】
本発明の第２の観点に係る有機発光装置は、光反射性を有する第１の電極層と光透過性を有する第２の電極層との間に複数の発光層が積層された積層構造を有する有機層が設けられ、その有機層において発生した光をそれぞれ青色光、緑色光および赤色光として放出する青色有機発光素子、緑色有機発光素子および赤色有機発光素子を含む有機発光素子を備え、第１の電極層と複数の発光層のうちの各発光層との間の距離が青色有機発光素子、緑色有機発光素子および赤色有機発光素子のいずれにおいても下記に示した関係式を満たしていると共に、第１の電極層と有機層との間の距離が青色有機発光素子、緑色有機発光素子および赤色有機発光素子のうちの少なくとも１つにおいて異なっているものである。
Ｌ＝（ｍ−Φ／２π）λ／２
（「Ｌ」は第１の電極層と各発光層との間の距離（光学的距離）、「ｍ」は次数（０または整数）、「Φ」は各発光層において発生した光が第１の電極層において反射する際に生じる位相シフト、「λ」は各発光層において発生した光が青色有機発光素子、緑色有機発光素子および赤色有機発光素子から放出される際のスペクトルのピーク波長をそれぞれ表す。）
【００１４】
本発明の第１の観点に係る有機発光素子では、光反射性を有する第１の電極層と光透過性を有する第２の電極層との間に設けられた有機層が、複数の発光層が積層された積層構造を有しており、特に、第１の電極層と各発光層との間の距離（光学的距離）が、上記した所定の関係式を満たしている。この場合には、第１の電極層が光透過性を有する場合とは異なり、複数の発光層において発生した光が第１の電極層において反射されたのちに第２の電極層を透過することにより有機発光素子の外部に放出される過程において、上記した光学的距離の差異を利用して光の干渉現象が生じる。これにより、光の干渉現象を利用して光取り出し効率が増加するため、有機発光素子から放出される光の強度が増強される。この場合には、例えば、複数の発光層が、４種類の発光層（青色光を発生させる第１の青色発光層および第２の青色発光層，緑色光を発生させる緑色発光層，赤色光を発生させる赤色発光層）を含み、特に、上記した関係式中の次数ｍが、第１の青色発光層に関してｍ＝０、第２の青色発光層に関してｍ＝１、緑色発光層に関してｍ＝１、赤色発光層に関してｍ＝１であれば、上記した光学的距離の差異に基づく光の干渉現象を利用して有機発光素子から放出される光の強度を増強させる観点において、その干渉条件が各色ごとに最適化される。
【００１５】
本発明の第２の観点に係る有機発光素子では、光反射性を有する第１の電極層と光透過性を有する第２の電極層との間に設けられた有機層が、複数の発光層が積層された積層構造を有し、その有機層において発生した光をそれぞれ青色光、緑色光および赤色光として放出する青色有機発光素子、緑色有機発光素子および赤色有機発光素子を含んでおり、特に、第１の電極層と各発光層との間の距離（光学的距離）が、青色有機発光素子、緑色有機発光素子および赤色有機発光素子のいずれにおいても上記した所定の関係式を満たしていると共に、第１の電極層と有機層との間の距離が、青色有機発光素子、緑色有機発光素子および赤色有機発光素子のうちの少なくとも１つにおいて異なっている。この場合には、第１の電極層が光透過性を有する場合とは異なり、複数の発光層において発生した光が第１の電極層において反射されたのちに第２の電極層を透過することにより青色有機発光素子、緑色有機発光素子および赤色有機発光素子の外部に放出される過程において、上記した光学的距離の差異を利用して光の干渉現象が生じる。これにより、光の干渉現象を利用して青色光、緑色光および赤色光の光取り出し効率が増加するため、青色有機発光素子、緑色有機発光素子および赤色有機発光素子から放出される青色光、緑色光および赤色光の強度が増強される。この場合には、例えば、複数の発光層が、４種類の発光層（青色光を発生させる第１の青色発光層，緑色光を発生させる緑色発光層，青色光を発生させる第２の青色発光層，赤色光を発生させる赤色発光層）を含み、特に、上記した関係式中の次数ｍが、第１の青色発光層に関してｍ＝０、緑色発光層に関してｍ＝１、第２の青色発光層に関してｍ＝１、赤色発光層に関してｍ＝１であるか、あるいは複数の発光層が、５種類の発光層（青色光を発生させる第１の青色発光層，緑色光を発生させる緑色発光層，青色光を発生させる第２の青色発光層，赤色光を発生させる赤色発光層，青色光を発生させる第３の青色発光層）を含み、特に、上記した関係式中の次数ｍが、第１の青色発光層に関してｍ＝０、緑色発光層に関してｍ＝１、第２の青色発光層に関してｍ＝１、赤色発光層に関してｍ＝１、第３の青色発光層に関してｍ＝２であれば、上記した光学的距離の差異に基づく光の干渉現象を利用して青色有機発光素子、緑色有機発光素子および赤色有機発光素子から放出される青色光、緑色光および赤色光の強度を増強させる観点において、その干渉条件が各色ごとに最適化される。
【００１６】
本発明の第１の観点に係る有機発光装置では、上記した本発明の第１の観点に係る有機発光素子を備えているため、その有機発光素子から放出される光の強度が増強される。
【００１７】
本発明の第２の観点に係る有機発光装置では、上記した本発明の第２の観点に係る有機発光素子を備えているため、青色有機発光素子、緑色有機発光素子および赤色有機発光素子から放出される青色光、緑色光および赤色光の強度が増強される。
【発明の効果】
【００１８】
本発明の第１の観点に係る有機発光素子によれば、光反射性を有する第１の電極層と光透過性を有する第２の電極層との間に設けられた有機層が、複数の発光層が積層された積層構造を有しており、特に、第１の電極層と各発光層との間の距離（光学的距離）が、上記した所定の関係式を満たしているので、有機発光素子から放出される光の強度が増強される。したがって、発光性能を向上させることができる。この場合には、例えば、複数の発光層が、４種類の発光層（第１の青色発光層，第２の青色発光層，緑色発光層，赤色発光層）を含み、特に、上記した関係式中の次数ｍが第１の青色発光層に関してｍ＝０、第２の青色発光層に関してｍ＝１、緑色発光層に関してｍ＝１、赤色発光層に関してｍ＝１であれば、その干渉条件が各色ごとに最適化されるため、発光性能を可能な限り向上させることができる。
【００１９】
本発明の第２の観点に係る有機発光素子によれば、光反射性を有する第１の電極層と光透過性を有する第２の電極層との間に設けられた有機層が複数の発光層が積層された積層構造を有し、その有機層において発生した光をそれぞれ青色光、緑色光および赤色光として放出する青色有機発光素子、緑色有機発光素子および赤色有機発光素子を含んでおり、特に、第１の電極層と各発光層との間の距離（光学的距離）が、青色有機発光素子、緑色有機発光素子および赤色有機発光素子のいずれにおいても上記した所定の関係式を満たしていると共に、第１の電極層と有機層との間の距離が、青色有機発光素子、緑色有機発光素子および赤色有機発光素子のうちの少なくとも１つにおいて異なっているので、青色有機発光素子、緑色有機発光素子および赤色有機発光素子から放出される青色光、緑色光および赤色光の強度が増強される。したがって、発光性能を向上させることができる。この場合には、例えば、複数の発光層が、４種類の発光層（第１の青色発光層，緑色発光層，第２の青色発光層，赤色発光層）を含み、特に、上記した関係式中の次数ｍが第１の青色発光層に関してｍ＝０、緑色発光層に関してｍ＝１、第２の青色発光層に関してｍ＝１、赤色発光層に関してｍ＝１であるか、あるいは複数の発光層が、５種類の発光層（第１の青色発光層，緑色発光層，第２の青色発光層，赤色発光層，第３の青色発光層）を含み、特に、上記した関係式中の次数ｍが第１の青色発光層に関してｍ＝０、緑色発光層に関してｍ＝１、第２の青色発光層に関してｍ＝１、赤色発光層に関してｍ＝１、第３の青色発光層に関してｍ＝２であれば、その干渉条件が各色ごとに最適化されるため、発光性能を可能な限り向上させることができる。
【００２０】
本発明の第１の観点に係る有機発光装置によれば、上記した本発明の第１の観点に係る有機発光素子を備えているので、その有機発光素子の発光性能が可能な限り向上する。したがって、表示性能を可能な限り向上させることができる。
【００２１】
本発明の第２の観点に係る有機発光装置によれば、上記した本発明の第２の観点に係る有機発光素子を備えているので、青色有機発光素子、緑色有機発光素子および赤色有機発光素子の発光性能が可能な限り向上する。したがって、表示性能を可能な限り向上させることができる。
【発明を実施するための最良の形態】
【００２２】
以下、本発明の実施の形態について、図面を参照して詳細に説明する。
【００２３】
［第１の実施の形態］
まず、図１を参照して、本発明の第１の実施の形態に係る有機発光装置に適用される有機発光素子として、第１の観点に係る有機発光素子の構成について説明する。図１は、有機発光素子としての有機ＥＬ素子１００の断面構成を模式的に表している。
【００２４】
有機ＥＬ素子１００は、有機ＥＬ現象を利用して光Ｈを放出するものである。この有機ＥＬ素子１００は、例えば、図１に示したように、基板１の一面において、光反射性を有する下部電極層１０と光透過性を有する上部電極層３０との間に有機層２０が設けられた構造を有しており、すなわち基板１に近い側から順に、下部電極層１０、有機層２０および上部電極層３０が積層された積層構造を有している。
【００２５】
下部電極層１０は、有機層２０に電圧を印加するための電極として機能する第１の電極層であり、図示しない駆動電源に接続されている。特に、下部電極層１０は、有機層２０において発生した光を上部電極層３０を経由して外部に放出させるために、その光を反射させる反射電極として機能するものである。この下部電極層１０は、光反射性を有し、より具体的には可視光の波長域において十分な反射率を有する材料により構成されている。ここでは、例えば、下部電極層１０は、陽極として機能するために、有機層２０に正孔（いわゆるホール）を効率よく注入することが可能であり、より具体的には仕事関数が十分に大きな材料により構成されている。この場合の下部電極層１０の構成材料としては、例えば、ニッケル（Ｎｉ）、銀（Ａｇ）、金（Ａｕ）、白金（Ｐｔ）、パラジウム（Ｐｄ）、セレン（Ｓｅ）、ロジウム（Ｒｈ）、ルテニウム（Ｒｕ）、イリジウム（Ｉｒ）、レニウム（Ｒｅ）、タングステン（Ｗ）、モリブデン（Ｗ）、クロム（Ｃｒ）、タンタル（Ｔａ）、ニオブ（Ｎｂ）などの金属や、それらの金属の合金などが挙げられる。
【００２６】
有機層２０は、有機ＥＬ現象を利用して発光するものであり、複数の発光層を含み、すなわち複数の発光層が積層された積層構造を有している。この有機層２０は、例えば、複数の発光層として４種類の発光層（青色発光層２２，２４，緑色発光層２６，赤色発光層２８）を含むと共に、それらの４種類の発光層を発光させるための複数の発光補助層（発光補助層２１，２３，２５，２７，２９）を併せて含んでいる。すなわち、有機層２０は、例えば、下部電極層１０に近い側から順に、発光補助層２１、青色発光層２２、発光補助層２３、青色発光層２４、発光補助層２５、緑色発光層２６、発光補助層２７、赤色発光層２８および発光補助層２９が積層された積層構造を有している。
【００２７】
発光補助層２１は、青色発光層２２に正孔を供給するものであり、例えば、下部電極層１０に近い側から順に、正孔注入層および正孔輸送層（いずれも図示せず）が積層された積層構造を有している。この正孔注入層は、例えば、４，４’，４”−トリス（３−メチルフェニルフェニルアミノ）トリフェニルアミン（ｍ−ＭＴＤＡＴＡ）などにより構成されており、正孔輸送層は、例えば、ビス［（Ｎ−ナフチル）−Ｎ−フェニル］ベンジジン（α−ＮＰＤ）などにより構成されている。
【００２８】
青色発光層２２は、有機ＥＬ現象を利用して青色光ＨＢ１を発生させる発光層（第１の青色発光層）であり、例えば、化１に示した構造式で表される４，４’−（ビス（９−エチル−３−カルバゾビニレン）−１，１’−ビフェニル）（ＢＣｚＶＢｉ）が約５体積％混合された、化２に示した構造式で表される４，４−ビス（２，２−ジフェニル−エテン−１−イル）−ビフェニル（ＤＰＶＢｉ）などの電子輸送性発光材料により構成されている。
【００２９】
【化１】
2007012369.tif 000003
【００３０】
【化２】
2007012369.tif 000004
【００３１】
発光補助層２３は、青色発光層２２に電子を供給すると共に青色発光層２４に正孔を供給するものであり、例えば、青色発光層２２に近い側から順に、電子輸送層、金属層および正孔輸送層（いずれも図示せず）が積層された積層構造を有している。この電子輸送層は、例えば、８−キノリノールアルミニウム錯体（Ａｌｑ）などにより構成されており、金属層は、例えば、フッ化リチウム（ＬｉＦ）／マグネシウム銀合金（ＭｇＡｇ）などにより構成されており、正孔輸送層は、例えば、α−ＮＰＤなどにより構成されている。この金属層の厚さは、約０．２ｎｍ〜４ｎｍであるのが好ましい。なぜなら、金属層の厚さが大きすぎると、光吸収量が大きくなることに起因して光取り出し効率が低下してしまうからである。この金属層の厚さが上記した範囲内であれば、発光補助層２３が電子および正孔の供給機能を果たしつつ、その発光補助層２３の透過率が約８０％以上となるため、十分な光取り出し効率が得られる。なお、発光補助層２３には、例えば、周知のタンデム構造を有する有機ＥＬ素子に適用されている各種層構造、より具体的には２つの発光層間に設けられることにより電子および正孔を発生または分離することが可能な各種層構造が適用されてもよい。この場合には、十分な光取り出し効率を得る観点から、発光補助層２３が可視光の波長域において透明であり（光透過性を有し）、より具体的には透過率が約８０％以上であるのが好ましい。
【００３２】
青色発光層２４は、有機ＥＬ現象を利用して青色光ＨＢ２を発生させる発光層（第２の青色発光層）であり、例えば、青色発光層２２と同様の電子輸送性発光材料により構成されている。なお、青色発光層２４の構成材料は、必ずしも青色発光層２２の構成材料と一致していなければならないわけではなく、その青色発光層２２の構成材料と異なっていてもよい。
【００３３】
発光補助層２５は、青色発光層２４に電子を供給すると共に緑色発光層２６に正孔を供給するものであり、例えば、発光補助層２３と同様の構成を有している。
【００３４】
緑色発光層２６は、有機ＥＬ現象を利用して緑色光ＨＧを発生させる発光層であり、例えば、クマリン６が約１体積％混合されたＡｌｑ（トリス（８−ヒドロキシキノリナート）アルミニウム）などの電子輸送性発光材料により構成されている。
【００３５】
発光補助層２７は、緑色発光層２６に電子を供給すると共に赤色発光層２８に正孔を供給するものであり、例えば、発光補助層２３と同様の構成を有している。
【００３６】
赤色発光層２８は、有機ＥＬ現象を利用して赤色光ＨＲを発生させる発光層であり、例えば、化３に示した構造式で表されるビスアミノスチリルナフタレンのメトキシ置換体（ＢＳＮ）が約３０体積％混合されたＡｌｑなどの正孔輸送性発光材料により構成されている。
【００３７】
【化３】
2007012369.tif 000005
【００３８】
発光補助層２９は、赤色発光層２８に電子を供給するものであり、例えば、上部電極層３０に近い側から順に、電子注入層および電子輸送層（いずれも図示せず）が積層された積層構造を有している。この電子注入層は、例えば、マグネシウム（Ｍｇ）が約５体積％混合されたＡｌｑなどにより構成されており、電子輸送層は、例えば、Ａｌｑなどにより構成されている。なお、電子注入層は、例えば、上記したマグネシウム（Ｍｇ）が約５体積％混合されたＡｌｑの層上に、マグネシウム（Ｍｇ）および銀（Ａｇ）の共蒸着層（約０．１ｎｍ〜１０ｎｍ厚）が積層された積層構造を有していてもよいし、あるいはフッ化リチウム（ＬｉＦ）の層上に、マグネシウムおよび銀の共蒸着層（約０．１ｎｍ〜１０ｎｍ厚）が積層された積層構造を有していてもよい。
【００３９】
上部電極層３０は、有機層２０に電圧を印加するための電極として機能する第２の電極層であり、下部電極層１０と同様に図示しない駆動電源に接続されている。特に、上部電極層３０は、有機層２０において発生した光を外部に導くために、その光を透過させる透過電極として機能するものである。この上部電極層３０は、光透過性を有し、より具体的には可視光の波長域において十分な透過率を有する材料により構成されている。ここでは、例えば、上部電極層３０は、陰極として機能するために、有機層２０に電子を効率よく注入することが可能であり、より具体的には仕事関数が十分に小さな材料により構成されている。この場合の上部電極層３０の構成材料としては、例えば、リチウム（Ｌｉ）、マグネシウム（Ｍｇ）またはカルシウム（Ｃａ）などの相対的に活性な金属と銀（Ａｇ）、アルミニウム（Ａｌ）またはインジウム（Ｉｎ）などの相対的に不活性な金属とを含む合金や、酸化錫（ＳｎＯ2 ）、酸化インジウム錫（ＩＴＯ；Indium Tin Oxide）、酸化亜鉛（ＺｎＯ）または酸化チタン（ＴｉＯ2 ）などの透明導電材料などが挙げられる。なお、上部電極層３０は、例えば、上記した２種類の金属（相対的に活性な金属および相対的に不活性な金属）が積層された積層構造を有していてもよい。
【００４０】
なお、基板１は、有機ＥＬ素子１００を支持するものであり、例えば、ガラス基板、シリコン（Ｓｉ）基板、プラスチック基板、あるいは薄膜トランジスタ（ＴＦＴ；Thin Film Transistor）が設けられたＴＦＴ基板などである。ここでは、例えば、基板１は、光透過性のガラス基板である。
【００４１】
この有機ＥＬ素子１００では、下部電極層１０と有機層２０を構成している複数の発光層のうちの各発光層（青色発光層２２，２４，緑色発光層２６，赤色発光層２８）との間の距離が、下記に示した関係式１を満たしている。
Ｌ＝（ｍ−Φ／２π）λ／２・・・関係式１
（「Ｌ」は下部電極層１０と各発光層との間の距離（光学的距離）、「ｍ」は次数（０または整数）、「Φ」は各発光層において発生した光が下部電極層１０において反射する際に生じる位相シフト、「λ」は各発光層において発生した光が有機ＥＬ素子１００から放出される際のスペクトルのピーク波長をそれぞれ表す。）
【００４２】
上記した光学的距離を各発光層ごとに詳しく説明すると、以下の通りである。
【００４３】
第１に、下部電極層１０と青色発光層２２との間の光学的距離は、下記に示した関係式２を満たしている。ここでは、例えば、関係式２中の次数ｍＢ１が、ｍＢ１＝０である。
ＬＢ１＝（ｍＢ１−ΦＢ１／２π）λＢ１／２・・・関係式２
（「ＬＢ１」は下部電極層１０と青色発光層２２との間の光学的距離、「ｍＢ１」は次数（０または整数）、「ΦＢ１」は青色発光層２２において発生した青色光ＨＢ１が下部電極層１０において反射する際に生じる位相シフト、「λＢ１」は青色発光層２２において発生した青色光ＨＢ１が有機ＥＬ素子１００から放出される際のスペクトルのピーク波長をそれぞれ表す。）
【００４４】
この青色発光層２２に関する関係式２中の光学的距離ＬＢ１は、下部電極層１０の反射面１０Ｍと青色発光層２２の発光面２２Ｍとの間の距離として規定される。この反射面１０Ｍとは、下部電極層１０のうちの発光補助層２１に隣接する面である。また、発光面２２Ｍとは、青色発光層２２が面発光すると考えた場合に、その青色発光層２２中において発光している確率（有機ＥＬ現象を利用して実質的に発光している確率）が最も高い面であり、その青色発光層２２の材質（電子輸送性発光材料または正孔輸送性発光材料）に基づいて決定される面である。ここでは、例えば、青色発光層２２が電子輸送性発光材料により構成されていることに伴い、発光面２２Ｍは、青色発光層２２のうちの発光補助層２１に隣接する面である。
【００４５】
第２に、下部電極層１０と青色発光層２４との間の光学的距離は、下記に示した関係式３を満たしている。ここでは、例えば、関係式３中の次数ｍＢ２が、ｍＢ２＝１である。
ＬＢ２＝（ｍＢ２−ΦＢ２／２π）λＢ２／２・・・関係式３
（「ＬＢ２」は下部電極層１０と青色発光層２４との間の光学的距離、「ｍＢ２」は次数（０または整数）、「ΦＢ２」は青色発光層２４において発生した青色光ＨＢ２が下部電極層１０において反射する際に生じる位相シフト、「λＢ２」は青色発光層２４において発生した青色光ＨＢ２が有機ＥＬ素子１００から放出される際のスペクトルのピーク波長をそれぞれ表す。）
【００４６】
この青色発光層２４に関する関係式３中の光学的距離ＬＢ２は、青色発光層２２に関する関係式２中の光学的距離ＬＢ１について説明した場合と同様に、下部電極層１０の反射面１０Ｍと青色発光層２４の発光面２４Ｍ（青色発光層２４のうちの発光補助層２３に隣接する面）との間の距離として規定される。
【００４７】
第３に、下部電極層１０と緑色発光層２６との間の光学的距離は、下記に示した関係式４を満たしている。ここでは、例えば、関係式４中の次数ｍＧが、ｍＧ＝１である。
ＬＧ＝（ｍＧ−ΦＧ／２π）λＧ／２・・・関係式４
（「ＬＧ」は下部電極層１０と緑色発光層２６との間の光学的距離、「ｍＧ」は次数（０または整数）、「ΦＧ」は緑色発光層２６において発生した緑色光ＨＧが下部電極層１０において反射する際に生じる位相シフト、「λＧ」は緑色発光層２６において発生した緑色光ＨＧが有機ＥＬ素子１００から放出される際のスペクトルのピーク波長をそれぞれ表す。）
【００４８】
この緑色発光層２６に関する関係式４中の光学的距離ＬＧは、緑色発光層２６が青色発光層２２，２４と同様に電子輸送性発光材料により構成されていることに伴い、下部電極層１０の反射面１０Ｍと緑色発光層２６の発光面２６Ｍ（緑色発光層２６のうちの発光補助層２５に隣接する面）との間の距離として規定される。
【００４９】
第４に、下部電極層１０と赤色発光層２８との間の光学的距離は、下記に示した関係式５を満たしている。ここでは、例えば、関係式５中の次数ｍＲが、ｍＲ＝１である。
ＬＲ＝（ｍＲ−ΦＲ／２π）λＲ／２・・・関係式５
（「ＬＲ」は下部電極層１０と赤色発光層２８との間の光学的距離、「ｍＲ」は次数（０または整数）、「ΦＲ」は赤色発光層２８において発生した赤色光ＨＲが下部電極層１０において反射する際に生じる位相シフト、「λＲ」は赤色発光層２８において発生した赤色光ＨＲが有機ＥＬ素子１００から放出される際のスペクトルのピーク波長をそれぞれ表す。）
【００５０】
この赤色発光層２８に関する関係式５中の光学的距離ＬＲは、下部電極層１０の反射面１０Ｍと赤色発光層２８の発光面２８Ｍとの間の距離として規定される。この発光面２８Ｍとは、赤色発光層２８が面発光すると考えた場合に、その赤色発光層２８中において発光している確率（有機ＥＬ現象を利用して実質的に発光している確率）が最も高い面であり、その赤色発光層２８の材質（正孔輸送性発光材料または電子輸送性発光材料）に基づいて決定される面である。ここでは、例えば、赤色発光層２８が正孔輸送性発光材料により構成されていることに伴い、発光面２８Ｍは、赤色発光層２８のうちの発光補助層２９に隣接する面である。
【００５１】
これらの光学的距離ＬＢ１，ＬＢ２，ＬＧ，ＬＲは、青色発光層２２，２４、緑色発光層２６および赤色発光層２８においてそれぞれ発生した青色光ＨＢ１，ＨＢ２、緑色光ＨＧおよび赤色光ＨＲが下部電極層１０において反射されたのちに上部電極層３０を透過することにより有機ＥＬ素子１００の外部に放出される過程において、それらの青色光ＨＢ１，ＨＢ２、緑色光ＨＧおよび赤色光ＨＲの光取り出し効率が光の干渉現象を利用して増加するように個別に設定されている。より具体的には、光学的距離ＬＢ１，ＬＢ２は、青色に対応する波長域（例えば、約４６０ｎｍ近傍の波長域）において青色光ＨＢ１，ＨＢ２の強度が増強されるように設定され、光学的距離ＬＧは、緑色に対応する波長域（例えば、約５３０ｎｍ近傍の波長域）において緑色光ＨＧの強度が増強されるように設定され、光学的距離ＬＲは、赤色に対応する波長域（例えば、約６２０ｎｍ近傍の波長域）において赤色光ＨＲの強度が増強されるように設定されている。
【００５２】
この有機ＥＬ素子１００は、以下のように動作する。すなわち、外部の駆動電源により下部電極層１０と上部電極層３０との間に電圧が印加されると、有機層２０のうちの青色発光層２２，２４、緑色発光層２６および赤色発光層２８において、発光補助層２１，２３，２５，２７，２９から供給された正孔および電子が再結合することにより発光する。すなわち、青色発光層２２において青色光ＨＢ１が発生し、青色発光層２４において青色光ＨＢ２が発生し、緑色発光層２６において緑色光ＨＧが発生し、赤色発光層２８において赤色光ＨＲが発生する。これにより、青色光ＨＢ１，ＨＢ２、緑色光ＨＧおよび赤色光ＨＲの合成光（白色光）として、光Ｈが外部に放出される。
【００５３】
この際、青色光ＨＢ１，ＨＢ２、緑色光ＨＧおよび赤色光ＨＲでは、下部電極層１０において反射されたのちに上部電極層３０を透過することにより有機ＥＬ素子１００の外部に放出される過程において、光学的距離ＬＢ１，ＬＢ２，ＬＧ，ＬＲの差異に基づいて光の干渉現象が生じる。これにより、光の干渉現象を利用して光取り出し効率が増加するため、光Ｈの強度が増強される。
【００５４】
図１に示した有機ＥＬ素子１００では、光反射性を有する下部電極層１０と光透過性を有する上部電極層３０との間に設けられた有機層２０が、複数の発光層（青色発光層２２，２４，緑色発光層２６，赤色発光層２８）が積層された積層構造を有しており、特に、下部電極層１０と各発光層との間の距離（光学的距離ＬＢ１，ＬＢ２，ＬＧ，ＬＲ）が、上記した関係式１（関係式２〜５）を満たしているので、以下の理由により、発光性能を向上させることができる。
【００５５】
図２は、図１に示した有機ＥＬ素子１００に対する比較例としての有機ＥＬ素子２００の構成を説明するためのものであり、図１に対応する断面構成を示している。この有機ＥＬ素子２００は、光反射性を有する下部電極層１０に代えて、光透過性を有する下部電極層２１０を備えている点を除き、有機ＥＬ素子１００と同様の構成を有している。この下部電極層２１０は、例えば、ＩＴＯなどの透明導電材料により構成されている。
【００５６】
比較例の有機ＥＬ素子２００（図２参照）では、下部電極層２１０が光透過性を有しているため、青色発光層２２，２４、緑色発光層２６および赤色発光層２８においてそれぞれ発生した青色光ＨＢ１，ＨＢ２、緑色光ＨＧおよび赤色光ＨＲが、上部電極層３０を透過することにより外部に放出されると共に、下部電極層２１０および基板１を透過することにより外部に放出される。この場合には、有機ＥＬ素子２００から青色光ＨＢ１，ＨＢ２、緑色光ＨＧおよび赤色光ＨＲが放出される過程において、それらの青色光ＨＢ１，ＨＢ２、緑色光ＨＧおよび赤色光ＨＲが下部電極層２１０において反射されないため、光学的距離ＬＢ１，ＬＢ２，ＬＧ，ＬＲの差異に基づく光の干渉現象が生じない。これにより、光の干渉現象を利用して青色光ＨＢ１，ＨＢ２、緑色光ＨＧおよび赤色光ＨＲの光取り出し効率が増加しないため、有機ＥＬ素子２００から放出される光Ｈの強度が増強されない。したがって、比較例の有機ＥＬ素子２００では、発光性能を向上させることが困難である。
【００５７】
これに対して、有機ＥＬ素子１００（図１参照）では、下部電極層１０が光反射性を有しているため、下部電極層２１０が光透過性を有している比較例の有機ＥＬ素子２００（図２参照）とは異なり、青色発光層２２，２４、緑色発光層２６および赤色発光層２８においてそれぞれ発生した青色光ＨＢ１，ＨＢ２、緑色光ＨＧおよび赤色光ＨＲが下部電極層１０において反射されたのちに上部電極層３０を経由することにより外部に放出される。この場合には、有機ＥＬ素子１００から青色光ＨＢ１，ＨＢ２、緑色光ＨＧおよび赤色光ＨＲが放出される過程において、それらの青色光ＨＢ１，ＨＢ２、緑色光ＨＧおよび赤色光ＨＲが下部電極層１０において反射されるため、光学的距離ＬＢ１，ＬＢ２，ＬＧ，ＬＲの差異に基づく光の干渉現象が生じる。これにより、上記した関係式２〜５を満たすように光学的距離ＬＢ１，ＬＢ２，ＬＧ，ＬＲを設定すれば、上記したように、光の干渉現象を利用して青色光ＨＢ１，ＨＢ２、緑色光ＨＧおよび赤色光ＨＲの光取り出し効率が増加するため、有機ＥＬ素子１００から放出される光Ｈの強度が増強される。したがって、図１に示した有機ＥＬ素子１００では、発光性能を向上させることができるのである。
【００５８】
この場合には、特に、有機層２０が、複数の発光層として４種類の発光層（青色発光層２２，２４，緑色発光層２６，赤色発光層２８）を含む場合に、関係式１中の次数ｍを各発光層ごとに最適化し、すなわち青色発光層２２に関する関係式２中の次数ｍＢ１をｍＢ１＝０、青色発光層２４に関する関係式３中の次数ｍＢ２をｍＢ２＝１、緑色発光層２６に関する関係式４中の次数ｍＧをｍＧ＝１、赤色発光層２８に関する関係式５中の次数ｍＲをｍＲ＝１としたので、上記した光学的距離ＬＢ１，ＬＢ２，ＬＧ，ＬＲの差異に基づく光の干渉現象を利用して青色光ＨＢ１，ＨＢ２、緑色光ＨＧおよび赤色光ＨＲの光取り出し効率を増強させる観点において、その干渉条件が各色ごとに最適化される。したがって、光Ｈの強度が著しく増強されるため、発光性能を可能な限り向上させることができる。
【００５９】
また、図１に示した有機ＥＬ素子１００では、有機層２０が、緑色発光層（緑色発光層２６）および赤色発光層（赤色発光層２８）をそれぞれ１つずつ含む一方で、青色発光層（青色発光層２２，２４）を２つ含むようにしたので、相対的に視感度が高い緑色光（緑色光ＨＧ）および赤色光（赤色光ＨＲ）の強度よりも、相対的に視感度が低い青色光（青色光ＨＢ１，ＨＢ２）の強度が大きくなる。したがって、視感度の観点において青色光、緑色光および赤色光の強度バランスが適正化されるため、光Ｈの色バランスを適正化することができる。なお、確認までに説明しておくと、有機層２０が２つの青色発光層２２，２４を含む場合に、光Ｈの強度や視野角依存性の観点において青色発光層２２，２４の構成材料を検討すると、例えば、上記した関係式２，３中の次数ｍＢ１，ｍＢ２を考慮することにより（例えば、ｍＢ１＝０，ｍＢ２＝１）、相対的に次数が高い青色発光層２４に関して、相対的に発光スペクトルの半値幅が大きくなるような材料を使用するのが好ましい。
【００６０】
なお、図１に示した有機ＥＬ素子１００では、下部電極層１０が光反射性を有すると共に上部電極層３０が光透過性を有することにより、その上部電極層３０を経由して光Ｈが外部に放出されるようにしたが、必ずしもこれに限られるものではない。具体的には、例えば、図１に対応する図３に示したように、下部電極層１０が光透過性を有すると共に上部電極層３０が光反射性を有することにより、その下部電極層１０を経由して光Ｈが外部に放出されるようにしてもよい。
【００６１】
図３に示した有機ＥＬ素子１００では、以下の点において、図１に示した有機ＥＬ素子１００と構成が異なっている。すなわち、下部電極層１０と上部電極層３０との間において、機能および材質が反転している。より具体的には、下部電極層１０は、上記した上部電極層３０と同様の機能（第２の電極層）および材質（光透過性）を有しており、上部電極層３０は、上記した下部電極層１０と同様の機能（第１の電極層）および材質（光反射性）を有している。また、上記したように、下部電極層１０と上部電極層３０との間において機能および材質が反転していることに伴い、有機層２０の積層順も反転している。より具体的には、有機層２０は、上部電極層３０に近い側から順に、発光補助層２１、青色発光層２２、発光補助層２３、青色発光層２４、発光補助層２５、緑色発光層２６、発光補助層２７、赤色発光層２８および発光補助層２９が積層された積層構造を有している。
【００６２】
この場合には、上部電極層３０と有機層２０を構成している複数の発光層のうちの各発光層（青色発光層２２，２４，緑色発光層２６，赤色発光層２８）との間の距離（光学的距離）が、図１に示した有機ＥＬ素子１００と同様に、上記した関係式１を満たしている。すなわち、第１に、上部電極層３０と青色発光層２２との間の光学的距離ＬＢ１は、上記した関係式２に示したように、例えば、上部電極層３０の反射面３０Ｍ（上部電極層３０のうちの発光補助層２１に隣接する面）と青色発光層２２の発光面２２Ｍ（青色発光層２２のうちの発光補助層２１に隣接する面）との間の距離として規定されており、その関係式２中の次数ｍＢ１は、ｍＢ１＝０である。第２に、上部電極層３０と青色発光層２４との間の光学的距離ＬＢ２は、上記した関係式３に示したように、例えば、上部電極層３０の反射面３０Ｍと青色発光層２４の発光面２４Ｍ（青色発光層２４のうちの発光補助層２３に隣接する面）との間の距離として規定されており、例えば、その関係式３中の次数ｍＢ２は、ｍＢ２＝１である。第３に、上部電極層３０と緑色発光層２６との間の光学的距離ＬＧは、上記した関係式４に示したように、例えば、上部電極層３０の反射面３０Ｍと緑色発光層２６の発光面２６Ｍ（緑色発光層２６のうちの発光補助層２５に隣接する面）との間の距離として規定されており、その関係式４中の次数ｍＧは、ｍＧ＝１である。第４に、上部電極層３０と赤色発光層２８との間の光学的距離ＬＲは、上記した関係式５に示したように、例えば、上部電極層３０の反射面３０Ｍと赤色発光層２８の発光面２８Ｍ（赤色発光層２８のうちの発光補助層２９に隣接する面）との間の距離として規定されており、その関係式５中の次数ｍＲは、ｍＲ＝１である。
【００６３】
これらの光学的距離ＬＢ１，ＬＢ２，ＬＧ，ＬＲは、図１に示した有機ＥＬ素子１００と同様に、青色発光層２２，２４、緑色発光層２６および青色発光層２８においてそれぞれ発生した青色光ＨＢ１，ＨＢ２、緑色光ＨＧおよび赤色光ＨＲが上部電極層３０において反射されたのちに下部電極層１０を透過することにより有機ＥＬ素子１００の外部に放出される過程において、それらの青色光ＨＢ１，ＨＢ２、緑色光ＨＧおよび赤色光ＨＲの光取り出し効率が光の干渉現象を利用して増加するように個別に設定されている。
【００６４】
図３に示した有機ＥＬ素子１００においても、光反射性を有する上部電極層３０と光透過性を有する下部電極層１０との間に設けられた有機層２０が、複数の発光層（青色発光層２２，２４，緑色発光層２６，赤色発光層２８）が積層された積層構造を有しており、特に、上部電極層３０と各発光層との間の距離（光学的距離ＬＢ１，ＬＢ２，ＬＧ，ＬＲ）が、上記した関係式１（関係式２〜５）を満たしているので、図１に示した有機ＥＬ素子１００と同様の作用により、発光性能を向上させることができる。この場合には、特に、上記した関係式１中の次数ｍを各発光層ごとに最適化し、すなわち関係式２〜５に示した次数ｍＢ１，ｍＢ２，ｍＧ，ｍＲを最適化することにより（例えば、ｍＢ１＝０，ｍＢ２＝１，ｍＧ＝１，ｍＲ＝１）、発光性能を可能な限り向上させることができる。なお、図３に示した有機ＥＬ素子１００に関する上記以外の構成は、図１に示した場合と同様である。
【００６５】
また、図１に示した有機ＥＬ素子１００では、有機層２０が複数の発光層として４種類の発光層（青色発光層２２，２４，緑色発光層２６，赤色発光層２８）を含み、それらの青色発光層２２，２４、緑色発光層２６および赤色発光層２８が下部電極層１０に近い側から順に積層されるようにしたが、必ずしもこれに限られるものではなく、例えば、有機層２０に含まれる複数の発光層の層数および積層順は、有機ＥＬ素子１００から光Ｈが放出される限り、自由に変更可能である。
【００６６】
次に、図４〜図６を参照して、図１に示した有機ＥＬ素子１００が適用される有機発光装置として、第１の観点に係る有機発光装置の構成について説明する。図４〜図６は、有機発光装置としての有機ＥＬディスプレイ３００の構成を表しており、図４は全体の断面構成を示し、図５は主要部の断面構成を拡大して模式的に示し、図６は主要部の断面構成を拡大して詳細に示している。
【００６７】
有機ＥＬディスプレイ３００は、有機ＥＬ現象を利用して画像を表示するものであり、図４に示したように、上記した有機ＥＬ素子１００（図１参照）、すなわち上部電極層３０を経由して光Ｈを放出する有機ＥＬ素子１００が適用された有機ＥＬ素子４６を備えている。この有機ＥＬ素子４６は、有機ＥＬディスプレイ３００から画像表示用の光ＨＰとして互いに異なる３色の光、すなわち青色光ＨＰＢ（例えば、波長＝約４６０ｎｍ）、緑色光ＨＰＧ（例えば、波長＝約５３０ｎｍ）および赤色光ＨＰＲ（例えば、波長＝約６２０ｎｍ）をそれぞれ放出させるために、いずれも光Ｈを放出する青色有機ＥＬ素子４６Ｂ、緑色有機ＥＬ素子４６Ｇおよび赤色有機ＥＬ素子４６Ｒを含んでいる。
【００６８】
より具体的には、有機ＥＬディスプレイ３００は、例えば、図４に示したように、駆動パネル４０および封止パネル５０が互いに対向配置され、それらの駆動パネル４０および封止パネル５０が接着層６０を介して互いに貼り合わされた構成を有している。この有機ディスプレイ３００は、例えば、画像表示用の光ＨＰを上方、すなわち封止パネル５０を経由して外部へ放出することにより画像を表示するトップエミッション型構造を有している。
【００６９】
駆動パネル４０は、例えば、駆動用基板４１の一面に、その駆動基板４１に近い側から順に、薄膜トランジスタ（ＴＦＴ）４２と、層間絶縁層４３と、駆動配線４４と、平坦化絶縁層４５と、上記した有機ＥＬ素子４６（青色有機ＥＬ素子４６Ｂ，緑色有機ＥＬ素子４６Ｇ，赤色有機ＥＬ素子４６Ｒ）および層内絶縁層４７と、保護層４８とが積層された構成を有している。
【００７０】
駆動用基板４１は、ＴＦＴ４２や有機ＥＬ素子４６などを支持するものであり、例えば、シリコン（Ｓｉ）やプラスチックなどの非光透過性絶縁性材料により構成されている。
【００７１】
ＴＦＴ４２は、有機ＥＬ素子４６を駆動させることにより発光させるものであり、例えば、駆動用基板４１の一面に複数個に渡ってマトリックス状に配列されている。このＴＦＴ４２は、層間絶縁層４３に設けられたコンタクトホール（図示せず）を通じて駆動配線４４に電気的に接続されている。
【００７２】
層間絶縁層４３は、ＴＦＴ４２を周囲から電気的に分離するものであり、例えば、酸化ケイ素（ＳｉＯ2 ）やＰＳＧ（phospho-silicate glass）などの絶縁性材料により構成されている。この層間絶縁層４３は、例えば、ＴＦＴ４２およびその周辺の駆動用基板４１を覆うように配設されている。
【００７３】
駆動配線４４は、信号線として機能することにより有機ＥＬ素子４６を駆動させるものであり、例えば、アルミニウム（Ａｌ）やアルミニウム銅合金（ＡｌＣｕ）などの導電性材料により構成されている。この駆動配線４４は、平坦化絶縁層４５に設けられたコンタクトホール（図示せず）を通じて有機ＥＬ素子４６に電気的に接続されている。なお、駆動配線４４は、例えば、各ＴＦＴ４２ごとに２つずつ（ゲート信号線，ドレイン信号線）設けられており、上記したように、ＴＦＴ４２に電気的に接続されている。
【００７４】
平坦化絶縁層４５は、ＴＦＴ４２および駆動配線４４と有機ＥＬ素子４６との間を電気的に分離すると共に、その有機ＥＬ素子４６が配置される下地を平坦化するものであり、例えば、酸化ケイ素（ＳｉＯ2 ）などの絶縁性材料により構成されている。
【００７５】
有機ＥＬ素子４６は、有機ＥＬ現象を利用して光Ｈを放出するものであり、上記したように、有機ＥＬディスプレイ３００から青色光ＨＰＢを放出させるために光Ｈを放出する青色有機ＥＬ素子４６Ｂと、有機ＥＬディスプレイ３００から緑色光ＨＰＧを放出させるために光Ｈを放出する緑色有機ＥＬ素子４６Ｇと、有機ＥＬディスプレイ３００から赤色光ＨＰＲを放出させるために光Ｈを放出する赤色有機ＥＬ素子４６Ｒとを含んでいる。なお、青色有機ＥＬ素子４６Ｂ、緑色有機ＥＬ素子４６Ｇおよび赤色有機ＥＬ素子４６Ｒは、それらの青色有機ＥＬ素子４６Ｂ、緑色有機ＥＬ素子４６Ｇおよび赤色有機ＥＬ素子４６Ｒを１組として、ＴＦＴ４２の配列パターンに対応して複数組に渡ってマトリックス状に配列されている。
【００７６】
これらの青色有機ＥＬ素子４６Ｂ、緑色有機ＥＬ素子４６Ｇおよび赤色有機ＥＬ素子４６Ｒは、互いに同様の構造を有しており、すなわち光反射性を有する下部電極層４６１Ｂ，４６１Ｇ，４６１Ｒと光透過性を有する上部電極層４６４との間に有機層４６３が設けられた構成を有している。より詳細には、便宜上、青色有機ＥＬ素子４６Ｂ、緑色有機ＥＬ素子４６Ｇおよび赤色有機ＥＬ素子４６Ｒの積層構造を互いに分離すると、それらの青色有機ＥＬ素子４６Ｂ、緑色有機ＥＬ素子４６Ｇおよび赤色有機ＥＬ素子４６Ｒの積層構造は、例えば、図５および図６に示したように示される。なお、図６では、青色有機ＥＬ素子４６Ｂ、緑色有機ＥＬ素子４６Ｇおよび赤色有機ＥＬ素子４６Ｒが互いに同様の積層構造を有していることに伴い、図示内容を簡略化するために、それらの青色有機ＥＬ素子４６Ｂ、緑色有機ＥＬ素子４６Ｇおよび赤色有機ＥＬ素子４６Ｒの積層構造をまとめて示している。
【００７７】
すなわち、青色有機ＥＬ素子４６Ｂは、図４に示したように、平坦化絶縁層４５に近い側から順に、下部電極層４６１Ｂ、有機層４６３および上部電極層４６４が積層された積層構造を有している。この有機層４６３は、図１に示した有機ＥＬ素子１００のうちの有機層２０と同様の構成を有しており、すなわち複数の発光層が積層された積層構造を有している。より具体的には、有機層４６３は、図５および図６に示したように、下部電極層４６１Ｂに近い側から順に、発光補助層４６３１、青色発光層４６３２、発光補助層４６３３、青色発光層４６３４、発光補助層４６３５、緑色発光層４６３６、発光補助層４６３７、赤色発光層４６３８および発光補助層４６３９が積層された積層構造を有している。下部電極層４６１Ｂおよび上部電極層４６４は、それぞれ図１に示した有機ＥＬ素子１００のうちの下部電極層１０および上部電極層３０と同様の機能および材質を有している。また、有機層４６３を構成している発光補助層４６３１、青色発光層４６３２、発光補助層４６３３、青色発光層４６３４、発光補助層４６３５、緑色発光層４６３６、発光補助層４６３７、赤色発光層４６３８および発光補助層４６３９は、それぞれ図１に示した有機層２０のうちの発光補助層２１、青色発光層２２、発光補助層２３、青色発光層２４、発光補助層２５、緑色発光層２６、発光補助層２７、赤色発光層２８および発光補助層２９と同様の機能および材質を有している。なお、上記した有機層４６３および上部電極層４６４の構成的特徴は、以下で説明する緑色有機ＥＬ素子４６Ｇおよび赤色有機ＥＬ素子４６Ｒのうちの有機層４６３および上部電極層４６４に関しても同様である。
【００７８】
緑色有機ＥＬ素子４６Ｇは、図４に示したように、平坦化絶縁層４５に近い側から順に、下部電極層４６１Ｇ、有機層４６３および上部電極層４６４が積層された積層構造を有している。下部電極層４６１Ｇは、図１に示した有機ＥＬ素子１００のうちの下部電極層１０と同様の機能および材質を有している。
【００７９】
赤色有機ＥＬ素子４６Ｒは、図４に示したように、平坦化絶縁層４５に近い側から順に、下部電極層４６１Ｒ、有機層４６３および上部電極層４６４が積層された積層構造を有している。下部電極層４６１Ｒは、図１に示した有機ＥＬ素子１００のうちの下部電極層１０と同様の機能および材質を有している。
【００８０】
これらの青色有機ＥＬ素子４６Ｂ、緑色有機ＥＬ素子４６Ｇおよび赤色有機ＥＬ素子４６Ｒでは、下部電極層４６１Ｂ，４６１Ｇ，４６１Ｒと有機層４６３を構成している複数の発光層のうちの各発光層（青色発光層４６３２，４６３４，緑色発光層４６３６，赤色発光層４６３８）との間の距離（光学的距離ＬＢ１，ＬＢ２，ＬＧ，ＬＲ）が、図１に示した有機ＥＬ素子１００と同様に、上記した関係式１を満たしている。
【００８１】
より具体的には、第１に、下部電極層４６１Ｂ，４６１Ｇ，４６１Ｒと青色発光層４６３２との間の光学的距離ＬＢ１は、上記した関係式２に示したように、例えば、下部電極層４６１Ｂ，４６１Ｇ，４６１Ｒの反射面４６１ＢＭ，４６１ＧＭ，４６１ＲＭ（下部電極層４６１Ｂ，４６１Ｇ，４６１Ｒのうちの発光補助層４６３１に隣接する面）と青色発光層４６３２の発光面４６３２Ｍ（青色発光層４６３２のうちの発光補助層４６３１に隣接する面）
との間の距離として規定されている（例えば、次数ｍＢ１＝０）。
【００８２】
第２に、下部電極層４６１Ｂ，４６１Ｇ，４６１Ｒと青色発光層４６３４との間の光学的距離ＬＢ２は、上記した関係式３に示したように、例えば、下部電極層４６１Ｂ，４６１Ｇ，４６１Ｒの反射面４６１ＢＭ，４６１ＧＭ，４６１ＲＭと青色発光層４６３４の発光面４６３４Ｍ（青色発光層４６３４のうちの発光補助層４６３３に隣接する面）との間の距離として規定されている（例えば、次数ｍＢ２＝１）。
【００８３】
第３に、下部電極層４６１Ｂ，４６１Ｇ，４６１Ｒと緑色発光層４６３６との間の光学的距離ＬＧは、上記した関係式４に示したように、例えば、下部電極層４６１Ｂ，４６１Ｇ，４６１Ｒの反射面４６１ＢＭ，４６１ＧＭ，４６１ＲＭと緑色発光層４６３６の発光面４６３６Ｍ（緑色発光層４６３６のうちの発光補助層４６３５に隣接する面）との間の距離として規定されている（例えば、次数ｍＧ＝１）。
【００８４】
第４に、下部電極層４６１Ｂ，４６１Ｇ，４６１Ｒと赤色発光層４６３８との間の光学的距離ＬＲは、上記した関係式５に示したように、例えば、下部電極層４６１Ｂ，４６１Ｇ，４６１Ｒの反射面４６１ＢＭ，４６１ＧＭ，４６１ＲＭと赤色発光層４６３８の発光面４６３８Ｍ（赤色発光層４６３８のうちの発光補助層４６３９に隣接する面）との間の距離として規定されている（例えば、次数ｍＲ＝１）。
【００８５】
これらの光学的距離ＬＢ１，ＬＢ２，ＬＧ，ＬＲは、図１に示した有機ＥＬ素子１００と同様に、青色発光層４６３２，４６３４、緑色発光層４６３６および青色発光層４６３８においてそれぞれ発生した青色光ＨＢ１，ＨＢ２、緑色光ＨＧおよび赤色光ＨＲが下部電極層４６１Ｂ，４６１Ｇ，４６１Ｒにおいて反射されたのちに上部電極層４６４を透過することにより青色有機ＥＬ素子４６Ｂ、緑色有機ＥＬ素子４６Ｇおよび赤色有機ＥＬ素子４６Ｒの外部に放出される過程において、それらの青色光ＨＢ１，ＨＢ２、緑色光ＨＧおよび赤色光ＨＲの光取り出し効率が光の干渉現象を利用して増加するように個別に設定されている。
【００８６】
なお、図４に示したように、下部電極層４６１Ｂ，４６１Ｇ，４６１Ｒは、青色有機ＥＬ素子４６Ｂ、緑色有機ＥＬ素子４６Ｇおよび赤色有機ＥＬ素子４６Ｒのそれぞれの配置領域ごとに分割されている。一方、有機層４６３および上部電極層４６４は、青色有機ＥＬ素子４６Ｂ、緑色有機ＥＬ素子４６Ｇおよび赤色有機ＥＬ素子４６Ｒのそれぞれの配置領域を連続的に経由するように延在しており、すなわち青色有機ＥＬ素子４６Ｂ、緑色有機ＥＬ素子４６Ｇおよび赤色有機ＥＬ素子４６Ｒにより共有されている。
【００８７】
層内絶縁層４７は、例えば、ポリイミドまたはポリベンゾオキサゾールなどの有機絶縁性材料や酸化シリコン（ＳｉＯ2 ）などの無機絶縁性材料により構成されている。この層内絶縁層４７は、青色有機ＥＬ素子４６Ｂ、緑色有機ＥＬ素子４６Ｇおよび赤色有機ＥＬ素子４６Ｒの周囲に、それらの青色有機ＥＬ素子４６Ｂ、緑色有機ＥＬ素子４６Ｇおよび赤色有機ＥＬ素子４６Ｒの間を分離するように設けられている。
【００８８】
保護層４８は、主に有機ＥＬ素子４６を保護するものであり、例えば、窒化ケイ素（ＳｉＮ）などの光透過性誘電性材料により構成されたパッシベーション膜である。
【００８９】
一方、封止パネル５０は、封止用基板５１の一面に、カラーフィルタ５２が設けられた構成を有している。
【００９０】
封止用基板５１は、カラーフィルタ５２を支持すると共に、画像表示用の光ＨＰを透過させることにより外部へ放出させるためのものであり、例えば、ガラスなどの光透過性絶縁性材料により構成されている。
【００９１】
カラーフィルタ５２は、有機ＥＬ素子４６において発生した光Ｈの中から青色光ＨＰＢ、緑色光ＨＰＧおよび赤色光ＨＰＲを選択的に取り出すものである。特に、カラーフィルタ５２は、例えば、有機ＥＬディスプレイ３００の内部に外光が侵入することにより有機ＥＬ素子４６などの高反射性部品において反射した際に、その反射光を吸収することによりコントラストを確保する機能も有している。このカラーフィルタ５２は、青色有機ＥＬ素子４６Ｂ、緑色有機ＥＬ素子４６Ｇおよび赤色有機ＥＬ素子４６Ｒにそれぞれ対応して配置された３色のフィルタ領域、すなわち青色フィルタ領域５２Ｂ、緑色フィルタ領域５２Ｇおよび赤色フィルタ領域５２Ｒを含んでいる。すなわち、カラーフィルタ５２は、青色有機ＥＬ素子４６Ｂにおいて発生した光Ｈの中から青色フィルタ領域５２Ｂを通じて青色光ＨＰＢを選択的に取り出し、緑色有機ＥＬ素子４６Ｇにおいて発生した光Ｈの中から緑色フィルタ領域５２Ｇを通じて緑色光ＨＰＧを選択的に取り出し、赤色有機ＥＬ素子４６Ｒにおいて発生した光Ｈの中から赤色フィルタ領域５２Ｒを通じて赤色光ＨＰＲを選択的に取り出すようになっている。なお、青色フィルタ領域５２Ｂ、緑色フィルタ領域５２Ｇおよび赤色フィルタ領域５２Ｒは、例えば、それぞれ青色、緑色および赤色の顔料が混入された樹脂を含んで構成されている。
【００９２】
なお、接着層６０は、駆動パネル４０と封止パネル５０とを互いに貼り合わせるためのものであり、例えば、熱硬化型樹脂などの接着材料を含んで構成されている。
【００９３】
この有機ＥＬディスプレイ３００は、以下のように動作する。すなわち、図４〜図６に示したように、駆動パネル４０のうちのＴＦＴ４２を利用して青色有機ＥＬ素子４６Ｂ、緑色有機ＥＬ素子４６Ｇおよび赤色有機ＥＬ素子４６Ｒが駆動され、すなわち下部電極層４６１Ｂ，４６１Ｇ，４６１Ｒと上部電極層４６４との間に電圧が印加されると、図１に示した有機ＥＬ素子１００と同様に、有機層４６３（例えば、発光点ＮＢ，ＮＧ，ＮＲ）において発光する。すなわち、青色発光層４６３２において青色光ＨＢ１が発生し、青色発光層４６３４において緑色光ＨＢ２が発生し、緑色発光層４６３６において緑色光ＨＧが発生し、赤色発光層４６３８において赤色光ＨＲが発生する。
【００９４】
この際、発生した青色光ＨＢ１，ＨＢ２、緑色光ＨＧおよび赤色光ＨＲでは、図１に示した有機ＥＬ素子１００と同様に、光学的距離ＬＢ１，ＬＢ２，ＬＧ，ＬＲの差異に基づく光の干渉現象を利用して光取り出し効率が増加するため、光Ｈの強度が増強される。
【００９５】
特に、青色有機ＥＬ素子４６Ｂ、緑色有機ＥＬ素子４６Ｇおよび赤色有機ＥＬ素子４６Ｒにおいて発生した光Ｈでは、カラーフィルタ５２を経由して有機ＥＬディスプレイ３００の外部に放出される過程において、その光Ｈの中からカラーフィルタ５２により青色光ＨＰＢ、緑色光ＨＰＧおよび赤色光ＨＰＲが選択的に取り出される。すなわち、青色有機ＥＬ素子４６Ｂにおいて発生した光Ｈの中から、青色フィルタ領域５２Ｂを通じて青色光ＨＰＢが選択的に取り出され、緑色有機ＥＬ素子４６Ｇにおいて発生した光Ｈの中から、緑色フィルタ領域５２Ｇを通じて緑色光ＨＰＧが選択的に取り出され、赤色有機ＥＬ素子４６Ｒにおいて発生した光Ｈの中から、赤色フィルタ領域５２Ｒを通じて赤色光ＨＰＲが選択的に取り出される。これにより、青色光ＨＰＢ、緑色光ＨＰＧおよび赤色光ＨＰＲの合成光が画像表示用の光ＨＰとして有機ＥＬディスプレイ３００の外部へ放出されることにより画像として視認されるため、その画像表示用の光ＨＰに基づいてフルカラーの画像が表示される。
【００９６】
本実施の形態に係る有機ＥＬディスプレイ３００では、青色有機ＥＬ素子４６Ｂ、緑色有機ＥＬ素子４６Ｇおよび赤色有機ＥＬ素子４６Ｒにおいて、光反射性を有する下部電極層４６１Ｂ，４６１Ｇ，４６１Ｒと光透過性を有する上部電極層４６４との間に設けられた有機層４６３が、複数の発光層（青色発光層４６３２，４６３４，緑色発光層４６３６，赤色発光層４６３８）が積層された積層構造を有しており、特に、下部電極層４６１Ｂ，４６１Ｇ，４６１Ｒと各発光層との間の距離（光学的距離ＬＢ１，ＬＢ２，ＬＧ，ＬＲ）が、上記した関係式１（関係式２〜５）を満たしているので、図１に示した有機ＥＬ素子１００と同様の作用により、青色有機ＥＬ素子４６Ｂ、緑色有機ＥＬ素子４６Ｇおよび赤色有機ＥＬ素子４６Ｒの発光性能が向上する。したがって、表示性能を向上させることができる。
【００９７】
この場合には、特に、有機層４６３が、複数の発光層として４種類の発光層（青色発光層４６３２，４６３４，緑色発光層４６３６，赤色発光層４６３８）を含む場合に、関係式１中の次数ｍを各発光層ごとに最適化し、すなわち青色発光層４６３２に関する関係式２中の次数ｍＢ１をｍＢ１＝０、青色発光層４６３４に関する関係式３中の次数ｍＢ２をｍＢ２＝１、緑色発光層４６３６に関する関係式４中の次数ｍＧをｍＧ＝１、赤色発光層４６３８に関する関係式５中の次数ｍＲをｍＲ＝１としたので、やはり図１に示した有機ＥＬ素子１００と同様の作用により、発光性能が可能な限り向上する。したがって、表示性能を可能な限り向上させることができる。
【００９８】
なお、図４〜図６に示した有機ＥＬディスプレイ３００では、画像表示用の光ＨＰを上方、すなわち封止パネル５０を経由して外部へ放出することにより画像を表示するトップエミッション型構造を有するようにしたが、必ずしもこれに限られるものではなく、例えば、図４〜図６にそれぞれ対応する図７〜図９に示したように、画像表示用の光ＨＰを下方、すなわち駆動パネル４０を経由して外部へ放出することにより画像を表示するボトムエミッション型構造を有するようにしてもよい。
【００９９】
図７〜図９に示した有機ＥＬディスプレイ３００は、以下の点において、図４〜図６に示した有機ＥＬディスプレイ３００と構成が異なっている。第１に、図７に示したように、下部電極層４６１Ｂ，４６１Ｇ，４６１Ｒに対応して上部電極層４６４が分割されており、すなわち青色有機ＥＬ素子４６Ｂ、緑色有機ＥＬ素子４６Ｇおよび赤色有機ＥＬ素子４６Ｒの配置領域ごとに上部電極層４６４Ｂ，４６４Ｇ，４６４Ｒが配置されている。第２に、下部電極層４６１Ｂ，４６１Ｇ，４６１Ｒと上部電極層４６４Ｂ，４６４Ｇ，４６４Ｒとの間において、機能および材質が反転している。すなわち、下部電極層４６１Ｂ，４６１Ｇ，４６１Ｒは、上記した上部電極４６４と同様の機能（第２の電極層）および材質（光透過性）を有しており、上部電極層４６４Ｂ，４６４Ｇ，４６４Ｒは、上記した下部電極層４６１Ｂ，４６１Ｇ，４６１Ｒと同様の機能（第１の電極層）および材質（光反射性）を有している。第３に、駆動基板４１と封止基板５１との間において材質が反転している。すなわち、駆動基板４１は、上記した封止基板５１と同様の材質（光透過性）を有しており、封止基板５１は、上記した駆動基板４１と同様の材質（非光透過性）を有している。第４に、上記したように、下部電極層４６１Ｂ，４６１Ｇ，４６１Ｒと上部電極層４６４Ｂ，４６４Ｇ，４６４Ｒとの間において機能および材質が反転していることに伴い、図８および図９に示したように、有機層４６３の積層順も反転している。すなわち、有機層４６３は、上部電極層４６４Ｂ，４６４Ｇ，４６４Ｒに近い側から順に、発光補助層４６３１、青色発光層４６３２、発光補助層４６３３、青色発光層４６３４、発光補助層４６３５、緑色発光層４６３６、発光補助層４６３７、赤色発光層４６３８および発光補助層４６３９が積層された積層構造を有している。第５に、カラーフィルタ５２が封止パネル５０に代えて駆動パネル４０に設けられている。ここでは、カラーフィルタ５２は、例えば、平坦化絶縁層４５中に埋設されている。
【０１００】
この場合には、上部電極層４６４Ｂ，４６４Ｇ，４６４Ｒと有機層４６３を構成している複数の発光層のうちの各発光層（青色発光層４６３２，４６３４，緑色発光層４６３６，赤色発光層４６３８）との間の距離（光学的距離）が、図４〜図６に示した有機ＥＬ素子１００と同様に、上記した関係式１を満たしている。すなわち、第１に、上部電極層４６４Ｂ，４６４Ｇ，４６４Ｒと青色発光層４６３２との間の光学的距離ＬＢ１は、上記した関係式２に示したように、例えば、上部電極層４６４Ｂ，４６４Ｇ，４６４Ｒの反射面４６４ＢＭ，４６４ＧＭ，４６４ＲＭ（上部電極層４６４Ｂ，４６４Ｇ，４６４Ｒのうちの発光補助層４６３１に隣接する面）と青色発光層４６３２の発光面４６３２Ｍとの間の距離として規定されている（例えば、次数ｍＢ１＝０）。第２に、上部電極層４６４Ｂ，４６４Ｇ，４６４Ｒと青色発光層４６３４との間の光学的距離ＬＢ２は、上記した関係式３に示したように、例えば、上部電極層４６４Ｂ，４６４Ｇ，４６４Ｒの反射面４６４ＢＭ，４６４ＧＭ，４６４ＲＭと青色発光層４６３４の発光面４６３４Ｍとの間の距離として規定されている（例えば、次数ｍＢ２＝１）。第３に、上部電極層４６４Ｂ，４６４Ｇ，４６４Ｒと緑色発光層４６３６との間の光学的距離ＬＧは、上記した関係式４に示したように、例えば、上部電極層４６４Ｂ，４６４Ｇ，４６４Ｒの反射面４６４ＢＭ，４６４ＧＭ，４６４ＲＭと緑色発光層４６３６の発光面４６３６Ｍとの間の距離として規定されている（例えば、次数ｍＧ＝１）。第４に、上部電極層４６４Ｂ，４６４Ｇ，４６４Ｒと赤色発光層４６３８との間の光学的距離ＬＲは、上記した関係式５に示したように、例えば、上部電極層４６４Ｂ，４６４Ｇ，４６４Ｒの反射面４６４ＢＭ，４６４ＧＭ，４６４ＲＭと赤色発光層４６３８の発光面４６３８Ｍとの間の距離として規定されている（例えば、次数ｍＲ＝１）。
【０１０１】
これらの光学的距離ＬＢ１，ＬＢ２，ＬＧ，ＬＲは、図４〜図６に示した有機ＥＬディスプレイ３００と同様に、青色発光層４６３２，４６３４、緑色発光層４６３６および青色発光層４６３８においてそれぞれ発生した青色光ＨＢ１，ＨＢ２、緑色光ＨＧおよび赤色光ＨＲが上部電極層４６４Ｂ，４６４Ｇ，４６４Ｒにおいて反射されたのちに下部電極層４６１Ｂ，４６１Ｇ，４６１Ｒを透過することにより有機ＥＬディスプレイ３００の外部に放出される過程において、それらの青色光ＨＢ１，ＨＢ２、緑色光ＨＧおよび赤色光ＨＲの光取り出し効率が光の干渉現象を利用して増加するように個別に設定されている。
【０１０２】
図７〜図９に示した有機ＥＬディスプレイ３００においても、光反射性を有する上部電極層４６４Ｂ，４６４Ｇ，４６４Ｒと光透過性を有する下部電極層４６１Ｂ，４６１Ｇ，４６１Ｒとの間に設けられた有機層４６３が、複数の発光層（青色発光層４６３２，４６３４，緑色発光層４６３６，赤色発光層４６３８）が積層された積層構造を有しており、特に、上部電極層４６４Ｂ，４６４Ｇ，４６４Ｒと各発光層との間の距離（光学的距離ＬＢ１，ＬＢ２，ＬＧ，ＬＲ）が、上記した関係式１（関係式２〜５）を満たしているので、図４〜図６に示した有機ＥＬディスプレイ３００と同様の作用により、表示性能を向上させることができる。この場合には、特に、上記した関係式１中の次数ｍを各発光層ごとに最適化し、すなわち関係式２〜５に示した次数ｍＢ１，ｍＢ２，ｍＧ，ｍＲを最適化することにより（例えば、ｍＢ１＝０，ｍＢ２＝１，ｍＧ＝１，ｍＲ＝１）、やはり図４〜図６に示した有機ＥＬディスプレイ３００と同様の作用により、青色有機ＥＬ素子４６Ｂ、緑色有機ＥＬ素子４６Ｇおよび赤色有機ＥＬ素子４６Ｒの発光性能が著しく向上するため、表示性能を可能な限り向上させることができる。なお、図７〜図９に示した有機ＥＬディスプレイ３００に関する上記以外の構成および動作は、図４〜図６に示した場合と同様である。
【０１０３】
［第２の実施の形態］
次に、本発明の第２の実施の形態について説明する。
【０１０４】
まず、図１０および図１１を参照して、本発明の第２の実施の形態に係る有機発光装置に適用される有機発光素子として、第２の観点に係る有機発光素子の構成について説明する。図１０および図１１は、有機発光素子としての有機ＥＬ素子４００の構成を表しており、上記第１の実施の形態において説明した図１に対応する断面構成を示している。図１０および図１１では、上記第１の実施の形態において説明した構成要素と同一の構成要素に同一の符号を付している。以下では、上記第１の実施の形態において既に説明した構成要素の材質や機能に関しては、それらの説明を随時省略する。
【０１０５】
有機ＥＬ素子４００は、例えば、図１０および図１１に示したように、主に、基板１の一面において、光反射性を有する下部電極層１０と光透過性を有する上部電極層３０との間に有機層７０が設けられ、その有機層７０において発生した光をそれぞれ青色光ＨＰＲ、緑色光ＨＰＧおよび赤色光ＨＰＲとして放出する青色有機ＥＬ素子４００Ｂ、緑色有機ＥＬ素子４００Ｇおよび赤色有機ＥＬ素子４００Ｒを含んでいる。なお、図１０では、青色有機ＥＬ素子４００Ｂおよび赤色有機ＥＬ素子４００Ｒが互いに同様の積層構造を有していることに伴い、図示内容を簡略化するために、それらの青色有機ＥＬ素子４００Ｂおよび赤色有機ＥＬ素子４００Ｒの積層構造をまとめて示している。
【０１０６】
青色有機ＥＬ素子４００Ｂは、上記したように、青色光ＨＰＢを放出するものであり、例えば、図１０に示したように、基板１に近い側から順に、下部電極層１０、有機層７０および上部電極層３０が積層された積層構造を有している。緑色有機ＥＬ素子４００Ｇは、上記したように、緑色光ＨＰＧを放出するものであり、例えば、図１１に示したように、基板１に近い側から順に、下部電極層１０、透明導電層２Ｇ、有機層７０および上部電極層３０が積層された積層構造を有している。赤色有機ＥＬ素子４００Ｒは、上記したように、赤色光ＨＰＲを放出するものであり、例えば、図１０に示したように、基板１に近い側から順に、下部電極層１０、有機層７０および上部電極層３０が積層された積層構造を有している。特に、青色有機ＥＬ素子４００Ｂおよび赤色有機ＥＬ素子４００Ｒのそれぞれは、厳密には、上記したように互いに同様の積層構造を有していることに伴い、青色光ＨＰＢまたは赤色光ＨＰＲのいずれか一方だけでなく、青色光ＨＰＢおよび赤色光ＨＰＲの双方を放出するようになっている。
【０１０７】
有機層７０は、複数の発光層を含み、すなわち複数の発光層が積層された積層構造を有しており、例えば、複数の発光層として４種類の発光層（青色発光層７２，緑色発光層７４，青色発光層７６，赤色発光層７８）を含むと共に、それらの４種類の発光層を発光させるための複数の発光補助層（発光補助層７１，７３，７５，７７，７９）を併せて含んでいる。すなわち、有機層７０は、例えば、下部電極層１０に近い側から順に、発光補助層７１、青色発光層７２、発光補助層７３、緑色発光層７４、発光補助層７５、青色発光層７６、発光補助層７７、赤色発光層７８および発光補助層７９が積層された積層構造を有している。発光補助層７１，７３，７５，７７，７９は、例えば、それぞれ上記第１の実施の形態において説明した有機ＥＬ素子１００のうちの発光補助層２１，２３，２５，２７，２９と同様の構成を有している。また、青色発光層７２、緑色発光層７４、青色発光層７６および赤色発光層７８は、例えば、それぞれ上記第１の実施の形態において説明した有機ＥＬ素子１００のうちの青色発光層２２、緑色発光層２６、青色発光層２４および赤色発光層２８と同様の構成を有している。
【０１０８】
透明導電層２Ｇは、例えば、酸化インジウム錫（ＩＴＯ）や酸化亜鉛などの透明導電材料により構成されており、厚さＴＧを有している。
【０１０９】
これらの青色有機ＥＬ素子４００Ｂ、緑色有機ＥＬ素子４００Ｇおよび赤色有機ＥＬ素子４００Ｒでは、下部電極層１０と有機層７０を構成している複数の発光層のうちの各発光層（青色発光層７２，緑色発光層７４，青色発光層７６，赤色発光層７８）との間の距離が、下記に示した関係式１１を満たしている。
Ｌ＝（ｍ−Φ／２π）λ／２・・・関係式１１
（「Ｌ」は下部電極層１０と各発光層との間の距離（光学的距離）、「ｍ」は次数（０または整数）、「Φ」は各発光層において発生した光が下部電極層１０において反射する際に生じる位相シフト、「λ」は各発光層において発生した光が青色有機ＥＬ素子４００Ｂ、緑色有機ＥＬ素子４００Ｇおよび赤色有機ＥＬ素子４００Ｒから放出される際のスペクトルのピーク波長をそれぞれ表す。）
【０１１０】
上記した光学的距離を各発光層ごとに詳しく説明すると、以下の通りである。
【０１１１】
第１に、下部電極層１０と青色発光層７２との間の光学的距離は、下記に示した関係式１２を満たしている。ここでは、例えば、関係式１２中の次数ｍＢ１が、ｍＢ１＝０である。この青色発光層７２に関する関係式１２中の光学的距離ＬＢ１は、例えば、下部電極層１０の反射面１０Ｍ（下部電極層１０のうちの発光補助層７１に隣接する面）と青色発光層７２の発光面７２Ｍ（青色発光層７２のうちの発光補助層７１に隣接する面）との間の距離として規定される。
ＬＢ１＝（ｍＢ１−ΦＢ１／２π）λＢ１／２・・・関係式１２
（「ＬＢ１」は下部電極層１０と青色発光層７２との間の光学的距離、「ｍＢ１」は次数（０または整数）、「ΦＢ１」は青色発光層７２において発生した青色光ＨＢ１が下部電極層１０において反射する際に生じる位相シフト、「λＢ１」は青色発光層７２において発生した青色光ＨＢ１が青色有機ＥＬ素子４００Ｂ、緑色有機ＥＬ素子４００Ｇおよび赤色有機ＥＬ素子４００Ｒから放出される際のスペクトルのピーク波長をそれぞれ表す。）
【０１１２】
第２に、下部電極層１０と緑色発光層７４との間の光学的距離は、下記に示した関係式１３を満たしている。ここでは、例えば、関係式１３中の次数ｍＧが、ｍＧ＝１である。この緑色発光層７４に関する関係式１３中の光学的距離ＬＧは、例えば、下部電極層１０の反射面１０Ｍと緑色発光層７４の発光面７４Ｍ（緑色発光層７４のうちの発光補助層７３に隣接する面）との間の距離として規定される。
ＬＧ＝（ｍＧ−ΦＧ／２π）λＧ／２・・・関係式１３
（「ＬＧ」は下部電極層１０と緑色発光層７４との間の光学的距離、「ｍＧ」は次数（０または整数）、「ΦＧ」は緑色発光層７４において発生した緑色光ＨＧが下部電極層１０において反射する際に生じる位相シフト、「λＧ」は緑色発光層７４において発生した緑色光ＨＧが青色有機ＥＬ素子４００Ｂ、緑色有機ＥＬ素子４００Ｇおよび赤色有機ＥＬ素子４００Ｒから放出される際のスペクトルのピーク波長をそれぞれ表す。）
【０１１３】
第３に、下部電極層１０と青色発光層７６との間の光学的距離は、下記に示した関係式１４を満たしている。ここでは、例えば、関係式１４中の次数ｍＢ２が、ｍＢ２＝１である。この青色発光層７６に関する関係式１４中の光学的距離ＬＢ２は、例えば、下部電極層１０の反射面１０Ｍと青色発光層７６の発光面７６Ｍ（緑色発光層７６のうちの発光補助層７５に隣接する面）との間の距離として規定される。
ＬＢ２＝（ｍＢ２−ΦＢ２／２π）λＢ２／２・・・関係式１４
（「ＬＢ２」は下部電極層１０と青色発光層７６との間の光学的距離、「ｍＢ２」は次数（０または整数）、「ΦＢ２」は青色発光層７６において発生した青色光ＨＢ２が下部電極層１０において反射する際に生じる位相シフト、「λＢ２」は青色発光層７６において発生した青色光ＨＢ２が青色有機ＥＬ素子４００Ｂ、緑色有機ＥＬ素子４００Ｇおよび赤色有機ＥＬ素子４００Ｒから放出される際のスペクトルのピーク波長をそれぞれ表す。）
【０１１４】
第４に、下部電極層１０と赤色発光層７８との間の光学的距離は、下記に示した関係式１５を満たしている。ここでは、例えば、関係式１５中の次数ｍＲが、ｍＲ＝１である。この赤色発光層７８に関する関係式１５中の光学的距離ＬＲは、例えば、下部電極層１０の反射面１０Ｍと赤色発光層７８の発光面７８Ｍ（赤色発光層７８のうちの発光補助層７９に隣接する面）との間の距離として規定される。
ＬＲ＝（ｍＲ−ΦＲ／２π）λＲ／２・・・関係式１５
（「ＬＲ」は下部電極層１０と赤色発光層７８との間の光学的距離、「ｍＲ」は次数（０または整数）、「ΦＲ」は赤色発光層７８において発生した赤色光ＨＲが下部電極層１０において反射する際に生じる位相シフト、「λＲ」は赤色発光層７８において発生した赤色光ＨＲが青色有機ＥＬ素子４００Ｂ、緑色有機ＥＬ素子４００Ｇおよび赤色有機ＥＬ素子４００Ｒから放出される際のスペクトルのピーク波長をそれぞれ表す。）
【０１１５】
特に、青色有機ＥＬ素子４００Ｂ、緑色有機ＥＬ素子４００Ｇおよび赤色有機ＥＬ素子４００Ｒでは、下部電極層１０と有機層７０との間の距離が、青色有機ＥＬ素子４００Ｂ、緑色有機ＥＬ素子４００Ｇおよび赤色有機ＥＬ素子４００Ｒのうちの少なくとも１つにおいて異なっている。ここでは、例えば、下部電極層１０と有機層７０との間の距離が、青色有機ＥＬ素子４００Ｂおよび赤色有機ＥＬ素子４００Ｒよりも緑色有機ＥＬ素子４０Ｇにおいて大きくなっている。より具体的には、例えば、図１０および図１１に示したように、緑色有機ＥＬ素子４００Ｇにおいて、下部電極層１０と有機層７０との間に透明導電層２Ｇが設けられている一方で、青色有機ＥＬ素子４００Ｂおよび赤色有機ＥＬ素子４００Ｒのいずれにおいても、下部電極層１０と有機層７０との間に上記した透明導電層２Ｇに対応する透明導電層が設けられていないため、その透明導電層２Ｇの厚さの分だけ、下部電極層１０と有機層７０との間の距離が青色有機ＥＬ素子４００Ｂおよび赤色有機ＥＬ素子４００Ｒよりも緑色有機ＥＬ素子４０Ｇにおいて大きくなっている。すなわち、緑色有機ＥＬ素子４００Ｇでは、透明導電層２Ｇの厚さを加味して光学的距離ＬＢ１，ＬＧ，ＬＢ２，ＬＲが規定される。
【０１１６】
これらの光学的距離ＬＢ１，ＬＧ，ＬＢ２，ＬＲは、青色発光層７２、緑色発光層７４、青色発光層７６および赤色発光層７８においてそれぞれ発生した青色光ＨＢ１、緑色光ＨＧ、青色光ＨＢ２および赤色光ＨＲが下部電極層１０において反射されたのちに上部電極層３０を透過することにより青色有機ＥＬ素子４００Ｂ、緑色有機ＥＬ素子４００Ｇおよび赤色有機ＥＬ素子４００Ｒの外部に放出される過程において、それらの青色有機ＥＬ素子４００Ｂ、緑色有機ＥＬ素子４００Ｇおよび赤色有機ＥＬ素子４００Ｒから、光学的距離ＬＢ１，ＬＧ，ＬＢ２，ＬＲの差異に基づく光の干渉現象を利用して互いに異なる波長域の光が選択的に放出されるように設定されている。より具体的には、青色有機ＥＬ素子４００Ｂおよび赤色有機ＥＬ素子４００Ｒでは、光の干渉現象を利用して青色光ＨＢ１、緑色光ＨＧ、青色光ＨＢ２および赤色光ＨＲの中から青色に対応する波長域（例えば、約４６０ｎｍ近傍の波長域）の青色光ＨＰＢおよび赤色に対応する波長域（例えば、約６２０ｎｍ近傍の波長域）の赤色光ＨＰＲが選択的に取り出されるように設定されていると共に、緑色有機ＥＬ素子４００Ｇでは、光の干渉現象を利用して青色光ＨＢ１、緑色光ＨＧ、青色光ＨＢ２および赤色光ＨＲの中から緑色に対応する波長域（例えば、約５３０ｎｍ近傍の波長域）の緑色光ＨＰＧが選択的に取り出されるように設定されている。
【０１１７】
この有機ＥＬ素子４００（青色有機ＥＬ素子４００Ｂ，緑色有機ＥＬ素子４００Ｇ，赤色有機ＥＬ素子４００Ｒ）は、以下のように動作する。すなわち、外部の駆動電源により下部電極層１０と上部電極層３０との間に電圧が印加されると、上記第１の実施の形態において説明した有機ＥＬ素子１００と同様の発光原理により、有機層７０のうちの青色発光層７２、緑色発光層７４、青色発光層７６および赤色発光層７８において発光する。すなわち、青色発光層７２において青色光ＨＢ１が発生し、緑色発光層７４において緑色光ＨＧが発生し、青色発光層７６において青色光ＨＢ２が発生し、赤色発光層７８において赤色光ＨＲが発生する。
【０１１８】
この際、青色光ＨＢ１、緑色光ＨＧ、青色発光層ＨＢ２および赤色光ＨＲでは、下部電極層１０において反射されたのちに上部電極層３０を透過することにより青色有機ＥＬ素子４００Ｂ、緑色有機ＥＬ素子４００Ｇおよび赤色有機ＥＬ素子４００Ｒから放出される過程において、光学的距離ＬＢ１，ＬＢ２，ＬＧ，ＬＲの差異に基づいて光の干渉現象が生じる。これにより、光の干渉現象を利用して青色有機ＥＬ素子４００Ｂ、緑色有機ＥＬ素子４００Ｇおよび赤色有機ＥＬ素子４００Ｒからそれぞれ青色光ＨＰＢ、緑色光ＨＰＧおよび赤色光ＨＰＲが放出される。この際、厳密には、緑色有機ＥＬ素子４００Ｇから緑色光ＨＰＧのみが放出される一方で、青色有機ＥＬ素子４００Ｂおよび赤色有機ＥＬ素子４００Ｒのそれぞれから青色光ＨＰＢおよび赤色光ＨＰＲの双方が放出される。
【０１１９】
図１０および図１１に示した有機ＥＬ素子４００（青色有機ＥＬ素子４００Ｂ，緑色有機ＥＬ素子４００Ｇ，赤色有機ＥＬ素子４００Ｒ）では、光反射性を有する下部電極層１０と光透過性を有する上部電極層３０との間に設けられた有機層７０が、複数の発光層（青色発光層７２，緑色発光層７４，青色発光層７６，赤色発光層７８）が積層された積層構造を有しており、特に、下部電極層１０と各発光層との間の距離（光学的距離ＬＢ１，ＬＧ，ＬＢ２，ＬＲ）が、上記した関係式１１（関係式１２〜１５）を満たしていると共に、下部電極層１０と有機層７０との間の距離が、青色有機ＥＬ素子４００Ｂおよび赤色有機ＥＬ素子４００Ｒよりも緑色有機ＥＬ素子４００Ｇにおいて大きくなっている。この場合には、上記したように、光学的距離ＬＢ１，ＬＧ，ＬＢ２，ＬＲの差異に基づく光の干渉現象を利用して、青色有機ＥＬ素子４００Ｂ、緑色有機ＥＬ素子４００Ｇおよび赤色有機ＥＬ素子４００Ｒからそれぞれ互いに異なる波長域の光として青色光ＨＰＢ、緑色光ＨＰＧおよび赤色光ＨＰＲが放出され、厳密には、緑色有機ＥＬ素子４００Ｇから緑色光ＨＰＧのみが放出される一方で、青色有機ＥＬ素子４００Ｂおよび赤色有機ＥＬ素子４００Ｒのそれぞれから青色光ＨＰＢおよび赤色光ＨＰＲの双方が放出される。しかも、この場合には、上記した関係式１２〜１５を満たすように光学的距離ＬＢ１，ＬＧ，ＬＢ２，ＬＲを設定すれば、上記第１の実施の形態において説明した有機ＥＬ素子１００と同様の作用により、光の干渉現象を利用して光取り出し効率が増加するため、青色光ＨＰＢ、緑色光ＨＰＧおよび赤色光ＨＰＲの強度が増強される。したがって、発光性能を向上させることができる。
【０１２０】
この場合には、特に、有機層７０が、複数の発光層として４種類の発光層（青色発光層７２，緑色発光層７４，青色発光層７６，赤色発光層７８）を含む場合に、関係式１１中の次数ｍを各発光層ごとに最適化し、すなわち青色発光層７２に関する関係式１２中の次数ｍＢ１をｍＢ１＝０、緑色発光層７４に関する関係式１３中の次数ｍＧをｍＧ＝１、青色発光層７６に関する関係式１４中の次数ｍ２をｍＢ２＝１、赤色発光層７８に関する関係式１５中の次数ｍＲをｍＲ＝１としたので、上記した光学的距離ＬＢ１，ＬＧ，ＬＢ２，ＬＲの差異に基づく光の干渉現象を利用して青色光ＨＰＢ、緑色光ＨＰＧおよび赤色光ＨＰＲの強度を増強させる観点において、その干渉条件が各色ごとに最適化される。したがって、青色光ＨＰＢ、緑色光ＨＰＧおよび赤色光ＨＰＲの強度が著しく増強されるため、発光性能を可能な限り向上させることができる。
【０１２１】
また、図１０および図１１に示した有機ＥＬ素子４００では、下部電極層１０と有機層７０との間の距離が青色有機ＥＬ素子４００Ｂおよび赤色有機ＥＬ素子４００Ｒよりも緑色有機ＥＬ素子４００Ｇにおいて大きくなるようにしたので、光学的距離ＬＢ１，ＬＧ，ＬＢ２，ＬＲがやはり青色有機ＥＬ素子４００Ｂおよび赤色有機ＥＬ素子４００Ｒよりも緑色有機ＥＬ素子４００Ｇにおいて大きくなる。この場合には、光取り出し効率に寄与する光学的距離ＬＢ１，ＬＧ，ＬＢ２，ＬＲが青色有機ＥＬ素子４００Ｂおよび赤色有機ＥＬ素子４００Ｒと緑色有機ＥＬ素子４００Ｇとの間において別個に設定され、すなわち青色光ＨＰＢおよび緑色光ＨＰＧの波長域が隣り合っている青色有機ＥＬ素子４００Ｂと緑色有機ＥＬ素子４００Ｇとの間において光取り出し条件が互いに異なるように設定されると共に、同様に緑色光ＨＰＧおよび赤色光ＨＰＲの波長域が隣り合っている緑色有機ＥＬ素子４００Ｇと赤色有機ＥＬ素子４００Ｒとの間において光取り出し条件が互いに異なるように設定される。したがって、下部電極層１０と有機層７０との間の距離が青色有機ＥＬ素子４００Ｂ、赤色有機ＥＬ素子４００Ｒおよび緑色有機ＥＬ素子４００Ｇの間において互いに等しい場合と比較して、青色光ＨＰＢ、緑色光ＨＰＧおよび赤色光ＨＰＲの色純度を向上させることができる。この場合には、特に、上記第１の実施の形態において説明したカラーフィルタ５２を使用すれば、青色光ＨＰＢ、緑色光ＨＰＧおよび赤色光ＨＰＲの色純度が十分に高くなるため、その色純度を確保することができる。
【０１２２】
なお、図１０および図１１に示した有機ＥＬ素子４００では、下部電極層１０と有機層７０との間の距離が青色有機ＥＬ素子４００Ｂおよび赤色有機ＥＬ素子４００Ｒよりも緑色有機ＥＬ素子４００Ｇにおいて大きくなるようにするために、緑色有機ＥＬ素子４００Ｇにおいて透明導電層２Ｇを設ける一方で、青色有機ＥＬ素子４００Ｂおよび赤色有機ＥＬ素子４００Ｒのいずれにおいても上記した透明導電層２Ｇに対応する透明導電層を設けないようにしたが、必ずしもこれに限られるものではない。具体的には、例えば、図１１と共に、図１０に対応する図１２に示したように、緑色有機ＥＬ素子４００Ｇにおいて下部電極層１０と有機層７０との間に透明導電層２Ｇ（厚さＴＧ）を設けた場合と同様に（図１１参照）、青色有機ＥＬ素子４００Ｂにおいて下部電極層１０と有機層７０との間に透明導電層２Ｂ（厚さＴＢ）を設けると共に、赤色有機ＥＬ素子４００Ｒにおいて下部電極層１０と有機層７０との間に透明導電層２Ｒ（厚さＴＲ）を設けるようにしてもよい（図１２参照）。
【０１２３】
これらの透明導電層２Ｂ，２Ｒは、例えば、透明導電層２Ｇと同様の材質を有している。特に、青色有機ＥＬ素子４００Ｂおよび赤色有機ＥＬ素子４００Ｒにそれぞれ透明導電層２Ｂ，２Ｒを設ける場合には、上記したように、下部電極層１０と有機層７０との間の距離が青色有機ＥＬ素子４００Ｂおよび赤色有機ＥＬ素子４００Ｒよりも緑色有機ＥＬ素子４００Ｇにおいて大きくなる関係を維持するために、透明導電層２Ｇの厚さＴＧが透明導電層２Ｂ，２Ｒの厚さＴＢ，ＴＲよりも大きくなるようにする（ＴＧ＞ＴＢ，ＴＲ）。この場合には、青色有機ＥＬ素子４００Ｂ、緑色有機ＥＬ素子４００Ｇおよび赤色有機ＥＬ素子４００Ｒにおいて、光学的距離ＬＢ１，ＬＧ，ＬＢ２，ＬＲがそれぞれ透明導電層２Ｂ，２Ｇ，２Ｒの厚さＴＢ，ＴＧ，ＴＲを加味して規定される。なお、透明導電層２Ｂ，２Ｒの厚さＴＢ，ＴＲの間の関係としては、例えば、互いに等しくてもよいし（ＴＢ＝ＴＲ）、あるいは互いに異なっていてもよい（ＴＢ≒ＴＲ、すなわちＴＢ＞ＴＲまたはＴＢ＜ＴＲ）。図１２では、例えば、透明導電層２Ｂの厚さＴＢと透明導電層２Ｒの厚さＴＲとが互いに等しい場合（ＴＢ＝ＴＲ）を示している。
【０１２４】
図１１および図１２に示した有機ＥＬ素子４００においても、上記した関係式１２〜１５を満たすように光学的距離ＬＢ１，ＬＧ，ＬＢ２，ＬＲを設定し、特に、関係式１２〜１５中の次数ｍＢ１，ｍＧ，ｍＢ２，ｍＲを最適化することにより、発光性能を可能な限り向上させることができる。なお、図１２に示した青色有機ＥＬ素子４００Ｂおよび赤色有機ＥＬ素子４００Ｒに関する上記以外の構成は、図１０に示した場合と同様である。
【０１２５】
また、図１０および図１１に示した有機ＥＬ素子４００では、有機層７０が複数の発光層として４種類の発光層（青色発光層７２，緑色発光層７４，青色発光層７６，赤色発光層７８）を含み、それらの青色発光層７２、緑色発光層７４、青色発光層７６および赤色発光層７８が下部電極層１０に近い側から順に積層されるようにしたが、必ずしもこれに限られるものではない。すなわち、有機層７０に含まれる複数の発光層の層数および積層順は、青色有機ＥＬ素子４００Ｂ、緑色有機ＥＬ素子４００Ｇおよび赤色有機ＥＬ素子４００Ｒからそれぞれ青色光ＨＰＢ、緑色光ＨＰＧおよび赤色光ＨＰＲが放出される限り、自由に変更可能である。
【０１２６】
一例を挙げれば、図１０および図１１にそれぞれ対応する図１３および図１４に示したように、有機層７０が、複数の発光層として５種類の発光層（上記した青色発光層７２、緑色発光層７４、青色発光層７６および赤色発光層７８と共に青色発光層８０）と共に、それらの５種類の発光層を発光させるための複数の発光補助層（上記した発光補助層７１，７３，７５，７７，７９と共に発光補助層８１）を併せて含んでおり、すなわち下部電極層１０に近い側から順に、上記した発光補助層７１から発光補助層７９に至る一連の層、青色発光層８０および発光補助層８１が積層された積層構造を有するようにしてもよい。
【０１２７】
青色発光層８０は、有機ＥＬ現象を利用して青色光ＨＢ３を発生させる発光層（第３の青色発光層）であり、例えば、青色発光層７２，７６と同様の材質を有している。なお、青色発光層８０の構成材料は、青色発光層７２，７６の構成材料と異なっていてもよい。発光補助層８１は、青色発光層８０に電子を供給するものであり、例えば、図１０および図１１に示した有機ＥＬ素子４００のうちの発光補助層７９と同様の機能および材質を有している。ここでは、発光補助層７９は、赤色発光層７８に電子を供給すると共に青色発光層８０に正孔を供給するものであり、例えば、図１３および図１４に示した発光補助層７３，７５，７７と同様の機能および材質を有している。
【０１２８】
図１３および図１４に示した有機ＥＬ素子４００では、下部電極層１０と有機層７０を構成している青色発光層７２、緑色発光層７４、青色発光層７６および赤色発光層７８との間の距離（光学的距離ＬＢ１，ＬＧ，ＬＢ２，ＬＲ）が、図１０および図１１に示した有機ＥＬ素子４００と同様に、上記した関係式１１（関係式１２〜１５）を満たしていると共に、さらに、下部電極層１０と青色発光層８０との間の距離（光学的距離ＬＢ３）が、下記に示した関係式１６を満たしている。ここでは、例えば、関係式１６中の次数ｍＢ３が、ｍＢ３＝２である。この青色発光層８０に関する関係式１６中の光学的距離ＬＢ３は、例えば、下部電極層１０の反射面１０Ｍと青色発光層８０の発光面８０Ｍ（青色発光層８０のうちの発光補助層７９に隣接する面）との間の距離として規定される。
ＬＢ３＝（ｍＢ３−ΦＢ３／２π）λＢ３／２・・・関係式１６
（「ＬＢ３」は下部電極層１０と青色発光層８０との間の光学的距離、「ｍＢ３」は次数（０または整数）、「ΦＢ３」は青色発光層８０において発生した青色光ＨＢ３が下部電極層１０において反射する際に生じる位相シフト、「λＢ３」は青色発光層８０において発生した青色光ＨＢ３が青色有機ＥＬ素子４００Ｂ、緑色有機ＥＬ素子４００Ｇおよび赤色有機ＥＬ素子４００Ｒから放出される際のスペクトルのピーク波長をそれぞれ表す。）
【０１２９】
これらの光学的距離ＬＢ１，ＬＧ，ＬＢ２，ＬＲ，ＬＢ３は、図１０および図１１に示した有機ＥＬ素子４００と同様に、青色発光層７２、緑色発光層７４、青色発光層７６、赤色発光層７８および青色発光層８０においてそれぞれ発生した青色光ＨＢ１、緑色光ＨＧ、青色光ＨＢ２、赤色光ＨＲおよび青色光ＨＢ３が下部電極層１０において反射されたのちに上部電極層３０を透過することにより青色有機ＥＬ素子４００Ｂ、緑色有機ＥＬ素子４００Ｇおよび赤色有機ＥＬ素子４００Ｒから外部に放出される過程において、それらの青色有機ＥＬ素子４００Ｂ、緑色有機ＥＬ素子４００Ｇおよび赤色有機ＥＬ素子４００Ｒからそれぞれ光の干渉現象を利用して青色光ＨＰＢ、緑色光ＨＰＧおよび赤色光ＨＰＲが選択的に放出されるように設定されている。
【０１３０】
図１３および図１４に示した有機ＥＬ素子４００では、光反射性を有する下部電極層１０と光透過性を有する上部電極層３０との間に設けられた有機層７０が、複数の発光層（青色発光層７２，緑色発光層７４，青色発光層７６，赤色発光層７８，青色発光層８０）が積層された積層構造を有しており、特に、下部電極層１０と各発光層との間の距離（光学的距離ＬＢ１，ＬＧ，ＬＢ２，ＬＲ，ＬＢ３）が、上記した関係式１１（関係式１２〜１６）を満たしていると共に、下部電極層１０と有機層７０との間の距離が、青色有機ＥＬ素子４００Ｂおよび赤色有機ＥＬ素子４００Ｒよりも緑色有機ＥＬ素子４００Ｇにおいて大きくなっているので、図１０および図１１に示した有機ＥＬ素子４００と同様の作用により、発光性能を向上させることができる。なお、図１３および図１４に示した有機ＥＬ素子４００に関する上記以外の構成は、それぞれ図１０および図１１に示した場合と同様である。
【０１３１】
この場合には、特に、有機層７０が、複数の発光層として５種類の発光層（青色発光層７２，緑色発光層７４，青色発光層７６，赤色発光層７８，青色発光層８０）を含む場合に、関係式１１中の次数ｍを各発光層ごとに最適化し、すなわち青色発光層７２に関する関係式１２中の次数ｍＢ１をｍＢ１＝０、緑色発光層７４に関する関係式１３中の次数ｍＧをｍＧ＝１、青色発光層７６に関する関係式１４中の次数ｍ２をｍＢ２＝１、赤色発光層７８に関する関係式１５中の次数ｍＲをｍＲ＝１、青色発光層８０に関する関係式１６中の次数ｍＢ３をｍＢ３＝２としたので、上記した光学的距離ＬＢ１，ＬＧ，ＬＢ２，ＬＲ，ＬＢ３の差異に基づく光の干渉現象を利用して青色光ＨＰＢ、緑色光ＨＰＧおよび赤色光ＨＰＲの強度を増強させる観点において、その干渉条件が各色ごとに最適化される。したがって、青色光ＨＰＢ、緑色光ＨＰＧおよび赤色光ＨＰＲの強度が著しく増強されるため、発光性能を可能な限り向上させることができる。
【０１３２】
もちろん、図１３および図１４に示した有機ＥＬ素子４００においても、図１０および図１１に示した有機ＥＬ素子４００に関する変形例として図１２を参照して説明した変形内容を適用することが可能である。すなわち、例えば、図１４と共に、図１３に対応する図１５に示したように、緑色有機ＥＬ素子４００Ｇにおいて透明導電層２Ｇ（厚さＴＧ）を設けた場合と同様に（図１４参照。）、青色有機ＥＬ素子４００Ｂにおいて透明導電層２Ｂ（厚さＴＢ）を設けると共に、赤色有機ＥＬ素子４００Ｒにおいて透明導電層２Ｒ（厚さＴＲ）を設けるようにしてもよい（図１５参照）。
【０１３３】
図１４および図１５に示した有機ＥＬ素子４００においても、上記した関係式１２〜１６を満たすように光学的距離ＬＢ１，ＬＧ，ＬＢ２，ＬＲ，ＬＢ３を設定し、特に、関係式１２〜１６中の次数ｍＢ１，ｍＧ，ｍＢ２，ｍＲ，ＬＢ３を最適化することにより、発光性能を可能な限り向上させることができる。なお、図１５に示した青色有機ＥＬ素子４００Ｂおよび赤色有機ＥＬ素子４００Ｒに関する上記以外の構成は、図１３に示した場合と同様である。
【０１３４】
また、図１０および図１１に示した有機ＥＬ素子４００では、上記第１の実施の形態において説明した有機ＥＬ素子１００（図１参照）に関する変形例として図３を参照して説明した変形内容を適用することが可能である。すなわち、例えば、図１０および図１１にそれぞれ対応する図１６および図１７に示したように、下部電極層１０と上部電極層３０との間において光反射性および光透過性を反転させることにより、青色有機ＥＬ素子４００Ｂ、緑色有機ＥＬ素子４００Ｇおよび赤色有機ＥＬ素子４００Ｒからそれぞれ下部電極層１０を経由して青色光ＨＰＢ、緑色光ＨＰＧおよび赤色光ＨＰＲが放出されるようにしてもよい。この場合には、有機層７０が、上部電極層３０に近い側から順に、発光補助層７１、青色発光層７２、発光補助層７３、緑色発光層７４、発光補助層７５、青色発光層７６、発光補助層７７、赤色発光層７８および発光補助層７９が積層される。特に、緑色有機ＥＬ素子４００Ｇにおいて、上部電極層３０と発光補助層７１との間に透明導電層２Ｇ（厚さＴＧ）設けられている一方で、青色有機ＥＬ素子４００Ｂおよび赤色有機ＥＬ素子４００Ｒのいずれにおいても、上記した透明導電層２Ｇに対応する透明導電層が設けられていない。
【０１３５】
図１６および図１７に示した有機ＥＬ素子４００では、上部電極層３０と有機層７０を構成している複数の発光層のうちの各発光層（青色発光層７２，緑色発光層７４，青色発光層７６，赤色発光層７８）との間の距離（光学的距離）が、図１０および図１１に示した有機ＥＬ素子４００と同様に、上記した関係式１１を満たしている。すなわち、第１に、上部電極層３０と青色発光層７２との間の光学的距離ＬＢ１は、上記した関係式１２に示したように、例えば、上部電極層３０の反射面３０Ｍと青色発光層７２の発光面２２Ｍとの間の距離として規定されている（例えば、次数ｍＢ１＝０）。第２に、上部電極層３０と青色発光層７４との間の光学的距離ＬＢ２は、上記した関係式１３に示したように、例えば、上部電極層３０の反射面３０Ｍと青色発光層７４の発光面７４Ｍとの間の距離として規定されている（例えば、次数ｍＢ２＝１）。第３に、上部電極層３０と緑色発光層７６との間の光学的距離ＬＧは、上記した関係式１４に示したように、例えば、上部電極層３０の反射面３０Ｍと緑色発光層７６の発光面７６Ｍとの間の距離として規定されている（例えば、次数ｍＧ＝１）。第４に、上部電極層３０と赤色発光層７８との間の光学的距離ＬＲは、上記した関係式１５に示したように、例えば、上部電極層３０の反射面３０Ｍと赤色発光層７８の発光面７８Ｍとの間の距離として規定されている（例えば、次数ｍＲ＝１）。
【０１３６】
これらの光学的距離ＬＢ１，ＬＢ２，ＬＧ，ＬＲは、図１０および図１１に示した有機ＥＬ素子４００と同様に、青色発光層７２、緑色発光層７４、青色発光層７６および青色発光層７８においてそれぞれ発生した青色光ＨＢ１、緑色光ＨＧ、青色光ＨＢ２および赤色光ＨＲが上部電極層３０において反射されたのちに下部電極層１０を透過することにより有機ＥＬ素子４００の外部に放出される過程において、それらの青色光ＨＢ１、緑色光ＨＧ、青色光ＨＢ２および赤色光ＨＲの光取り出し効率が光の干渉現象を利用して増加するように個別に設定されている。
【０１３７】
図１６および図１７に示した有機ＥＬ素子４００においても、光反射性を有する上部電極層３０と光透過性を有する下部電極層１０との間に設けられた有機層７０が、複数の発光層（青色発光層７２，緑色発光層７４、青色発光層７６，赤色発光層７８）が積層された積層構造を有しており、特に、上部電極層３０と各発光層との間の距離（光学的距離ＬＢ１，ＬＧ，ＬＢ２，ＬＲ）が、上記した関係式１１（関係式１２〜１５）を満たしていると共に、上部電極層３０と有機層７０との間の距離が、青色有機ＥＬ素子４００Ｂおよび赤色有機ＥＬ素子４００Ｒよりも緑色有機ＥＬ素子４００Ｇにおいて大きくなるようにしたので、図１０および図１１に示した有機ＥＬ素子４００と同様の作用により、発光性能を可能な限り向上させることができる。なお、図１６および図１７に示した有機ＥＬ素子４００に関する上記以外の構成は、それぞれ図１０および図１１に示した場合と同様である。
【０１３８】
また、図１６および図１７に示した有機ＥＬ素子４００では、上記実施の形態において図１０および図１１に示した有機ＥＬ素子４００に関する変形例として図１２を参照して説明した変形内容を適用することが可能である。すなわち、例えば、図１７と共に、図１６に対応する図１８に示したように、緑色有機ＥＬ素子４００Ｇにおいて透明導電層２Ｇ（厚さＴＧ）を設けた場合と同様に（図１７参照）、青色有機ＥＬ素子４００Ｂにおいて透明導電層２Ｂ（厚さＴＢ）を設けると共に、赤色有機ＥＬ素子４００Ｒにおいて透明導電層２Ｒ（厚さＴＲ）を設けるようにしてもよい（図１８参照）。
【０１３９】
図１７および図１８に示した有機ＥＬ素子４００においても、上記した関係式１２〜１５を満たすように光学的距離ＬＢ１，ＬＧ，ＬＢ２，ＬＲを設定し、特に、関係式１２〜１５中の次数ｍＢ１，ｍＧ，ｍＢ２，ｍＲを最適化することにより、発光性能を可能な限り向上させることができる。なお、図１８に示した青色有機ＥＬ素子４００Ｂおよび赤色有機ＥＬ素子４００Ｒに関する上記以外の構成は、図１６に示した場合と同様である。
【０１４０】
また、図１６および図１７に示した有機ＥＬ素子４００では、上記実施の形態において図１０および図１１に示した有機ＥＬ素子４００に関する変形例として図１３および図１４を参照して説明した変形内容を適用することが可能である。すなわち、例えば、図１６および図１７にそれぞれ対応する図１９および図２０に示したように、有機層７０が、複数の発光層として５種類の発光層（上記した青色発光層７２、緑色発光層７４、青色発光層７６および赤色発光層７８と共に青色発光層８０）と共に、それらの５種類の発光層を発光させるための複数の発光補助層（上記した発光補助層７１，７３，７５，７７，７９と共に発光補助層８１）を併せて含んでおり、すなわち上部電極層３０に近い側から順に、上記した発光補助層７１から発光補助層７９に至る一連の層、青色発光層８０および発光補助層８１が積層された積層構造を有するようにしてもよい。
【０１４１】
図１９および図２０に示した有機ＥＬ素子４００では、上部電極層３０と有機層７０を構成している青色発光層７２、緑色発光層７４、青色発光層７６、赤色発光層７８および青色発光層８０との間の距離（光学的距離ＬＢ１，ＬＧ，ＬＢ２，ＬＲ，ＬＢ３）が、図１３および図１４に示した有機ＥＬ素子４００と同様に、上記した関係式１１（関係式１２〜１６）を満たしている。
【０１４２】
これらの光学的距離ＬＢ１，ＬＧ，ＬＢ２，ＬＲ，ＬＢ３は、図１３および図１４に示した有機ＥＬ素子４００と同様に、青色発光層７２、緑色発光層７４、青色発光層７６、赤色発光層７８および青色発光層８０においてそれぞれ発生した青色光ＨＢ１、緑色光ＨＧ、青色光ＨＢ２、赤色光ＨＲおよび青色光ＨＢ３が上部電極層３０において反射されたのちに下部電極層１０を透過することにより青色有機ＥＬ素子４００Ｂ、緑色有機ＥＬ素子４００Ｇおよび赤色有機ＥＬ素子４００Ｒから外部に放出される過程において、青色有機ＥＬ素子４００Ｂおよび赤色有機ＥＬ素子４００Ｒから光の干渉現象を利用して青色光ＨＰＢおよび赤色光ＨＰＲが選択的に放出されると共に、緑色有機ＥＬ素子４００Ｇから光の干渉現象を利用して緑色光ＨＰＧが選択的に放出されるように設定されている。
【０１４３】
図１９および図２０に示した有機ＥＬ素子４００おいても、上記した関係式１２〜１６を満たすように光学的距離ＬＢ１，ＬＧ，ＬＢ２，ＬＲ，ＬＢ３を設定し、特に、関係式１２〜１６中の次数ｍＢ１，ｍＧ，ｍＢ２，ｍＲ，ｍＢ３を最適化することにより、発光性能を可能な限り向上させることができる。なお、図１９および図２０に示した有機ＥＬ素子４００に関する上記以外の構成は、それぞれ図１６および図１７に示した場合と同様である。
【０１４４】
もちろん、図１９および図２０に示した有機ＥＬ素子４００では、上記実施の形態において図１０および図１１に示した有機ＥＬ素子４００に関する変形例として図１５を参照して説明した変形内容を適用することが可能である。すなわち、例えば、図２０と共に、図１９に対応する図２１に示したように、緑色有機ＥＬ素子４００Ｇにおいて透明導電層２Ｇ（厚さＴＧ）を設けた場合と同様に（図２０参照）、青色有機ＥＬ素子４００Ｂにおいて透明導電層２Ｂ（厚さＴＢ）を設けると共に、赤色有機ＥＬ素子４００Ｒにおいて透明導電層２Ｒ（厚さＴＲ）を設けるようにしてもよい（図２１参照）。
【０１４５】
図２０および図２１に示した有機ＥＬ素子４００においても、上記した関係式１２〜１６を満たすように光学的距離ＬＢ１，ＬＧ，ＬＢ２，ＬＲ，ＬＢ３を設定し、特に、関係式１２〜１６中の次数ｍＢ１，ｍＧ，ｍＢ２，ｍＲ，ＬＢ３を最適化することにより、発光性能を可能な限り向上させることができる。なお、図２１に示した青色有機ＥＬ素子４００Ｂおよび赤色有機ＥＬ素子４００Ｒに関する上記以外の構成は、図１９に示した場合と同様である。
【０１４６】
次に、図２２〜図２５を参照して、図１０および図１１に示した有機ＥＬ素子４００が適用される有機発光装置として、第２の観点に係る有機発光装置の構成について説明する。図２２〜図２５は、有機発光装置としての有機ＥＬディスプレイ５００の構成を表しており、図２２は全体の断面構成を示し、図２３は主要部の断面構成を拡大して模式的に示し、図２４および図２５は主要部の断面構成を拡大して詳細に示している。図２２〜図２５では、上記第１の実施の形態において説明した構成要素と同一の構成要素に同一の符号を付している。以下では、上記第１の実施の形態において既に説明した構成要素の材質や機能に関しては、それらの説明を随時省略する。
【０１４７】
有機ＥＬディスプレイ５００は、図２２に示したように、有機ＥＬ素子４６（青色有機ＥＬ素子４６Ｂ，緑色有機ＥＬ素子４６Ｇ，赤色有機ＥＬ素子４６Ｒ）に代えて、その有機ＥＬ素子４６と同様の機能を有する有機ＥＬ素子９６（青色有機ＥＬ素子９６Ｂ，緑色有機ＥＬ素子９６Ｇ，赤色有機ＥＬ素子９６Ｒ）を備える点を除き、上記第１の実施の形態において図４を参照して説明した有機ＥＬディスプレイ３００と同様の構成を有している。
【０１４８】
有機ＥＬ素子９６のうちの青色有機ＥＬ素子９６Ｂ、緑色有機ＥＬ素子９６Ｇおよび赤色有機ＥＬ素子９６Ｒは、互いにほぼ同様の構造を有しており、すなわち光反射性を有する下部電極層９６１Ｂ，９６１Ｇ，９６１Ｒと光透過性を有する上部電極層９６４との間に有機層９６３が設けられた構造を有している。
【０１４９】
より具体的には、青色有機ＥＬ素子９６Ｂは、青色光ＨＰＢを放出するものであり、図２２に示したように、平坦化絶縁層４５に近い側から順に、下部電極層９６１Ｂ、有機層９６３および上部電極層９６４が積層された積層構造を有している。この有機層９６３は、例えば、図２３および図２４に示したように、下部電極層９６１Ｂに近い側から順に、発光補助層９６３１、青色発光層９６３２、発光補助層９６３３、緑色発光層９６３４、発光補助層９６３５、青色発光層９６３６、発光補助層９６３７、赤色発光層９６３８および発光補助層９６３９が積層された積層構造を有している。下部電極層９６１Ｂおよび上部電極層９６４は、それぞれ図１０および図１１に示した有機ＥＬ素子４００のうちの下部電極層１０および上部電極層３０と同様の機能および材質を有している。また、有機層４６３を構成している発光補助層９６３１、青色発光層９６３２、発光補助層９６３３、緑色発光層９６３４、発光補助層９６３５、青色発光層９６３６、発光補助層９６３７、赤色発光層９６３８および発光補助層９６３９は、それぞれ図１０および図１１に示した有機層７０のうちの発光補助層７１、青色発光層７２、発光補助層７３、緑色発光層７４、発光補助層７５、青色発光層７６、発光補助層７７、赤色発光層７８および発光補助層７９と同様の機能および材質を有している。なお、上記した有機層９６３および上部電極層９６４の構成的特徴は、以下で説明する緑色有機ＥＬ素子９６Ｇおよび赤色有機ＥＬ素子９６Ｒのうちの有機層９６３および上部電極層９６４に関しても同様である。
【０１５０】
緑色有機ＥＬ素子９６Ｇは、緑色光ＨＰＧを放出するものであり、図２２に示したように、平坦化絶縁層４５に近い側から順に、下部電極層９６１Ｇ、透明導電層９６２Ｇ、有機層９６３および上部電極層９６４が積層された積層構造を有している。下部電極層９６１Ｇは、図１０および図１１に示した有機ＥＬ素子４００のうちの下部電極層１０と同様の機能および材質を有している。
【０１５１】
赤色有機ＥＬ素子９６Ｒは、赤色光ＨＰＲを放出するものであり、図２２に示したように、平坦化絶縁層４５に近い側から順に、下部電極層９６１Ｒ、有機層９６３および上部電極層９６４が積層された積層構造を有している。下部電極層９６１Ｒは、例えば、図１０および図１１に示した有機ＥＬ素子４００のうちの下部電極層１０と同様の機能および材質を有している。
【０１５２】
特に、青色有機ＥＬ素子９６Ｂおよび赤色有機ＥＬ素子９６Ｒのそれぞれは、厳密には、上記したように互いに同様の積層構造を有していることに伴い、青色光ＨＰＢまたは赤色光ＨＰＲのいずれか一方だけでなく、青色光ＨＰＢおよび赤色光ＨＰＲの双方を放出するようになっている。
【０１５３】
これらの青色有機ＥＬ素子９６Ｂ、緑色有機ＥＬ素子９６Ｇおよび赤色有機ＥＬ素子９６Ｒでは、下部電極層９６１Ｂ，９６１Ｇ，９６１Ｒと有機層９６３を構成している複数の発光層のうちの各発光層（青色発光層９６３２，緑色発光層９６３４，青色発光層９６３６，赤色発光層９６３８）との間の距離（光学的距離ＬＢ１，ＬＧ，ＬＢ２，ＬＲ）が、図１０および図１１に示した有機ＥＬ素子４００と同様に、上記した関係式１１を満たしている。
【０１５４】
より具体的には、第１に、下部電極層９６１Ｂ，９６１Ｇ，９６１Ｒと青色発光層９６３２との間の光学的距離ＬＢ１は、上記した関係式１２に示したように、例えば、下部電極層９６１Ｂ，９６１Ｇ，９６１Ｒの反射面９６１ＢＭ，９６１ＧＭ，９６１ＲＭ（下部電極層９６１Ｂ，９６１Ｇ，９６１Ｒのうちの発光補助層９６３１に隣接する面）と青色発光層９６３２の発光面９６３２Ｍ（青色発光層９６３２のうちの発光補助層９６３１に隣接する面との間の距離として規定されている（例えば、次数ｍＢ１＝０）。
【０１５５】
第２に、下部電極層９６１Ｂ，９６１Ｇ，９６１Ｒと緑色発光層９６３４との間の光学的距離ＬＧは、上記した関係式１３に示したように、例えば、下部電極層９６１Ｂ，９６１Ｇ，９６１Ｒの反射面９６１ＢＭ，９６１ＧＭ，９６１ＲＭと緑色発光層９６３４の発光面９６３４Ｍ（緑色発光層９６３４のうちの発光補助層９６３３に隣接する面）との間の距離として規定されている（例えば、次数ｍＧ＝１）。
【０１５６】
第３に、下部電極層９６１Ｂ，９６１Ｇ，９６１Ｒと青色発光層９６３６との間の光学的距離ＬＢ２は、上記した関係式１４に示したように、例えば、下部電極層９６１Ｂ，９６１Ｇ，９６１Ｒの反射面９６１ＢＭ，９６１ＧＭ，９６１ＲＭと青色発光層９６３６の発光面９６３６Ｍ（青色発光層９６３６のうちの発光補助層９６３５に隣接する面）との間の距離として規定されている（例えば、次数ｍＢ２＝１）。
【０１５７】
第４に、下部電極層９６１Ｂ，９６１Ｇ，９６１Ｒと赤色発光層９６３８との間の光学的距離ＬＲは、上記した関係式１５に示したように、下部電極層９６１Ｂ，９６１Ｇ，９６１Ｒの反射面９６１ＢＭ，９６１ＧＭ，９６１ＲＭと赤色発光層９６３８の発光面９６３８Ｍ（赤色発光層９６３８のうちの発光補助層９６３９に隣接する面）との間の距離として規定されている（例えば、次数ｍＲ＝１）。
【０１５８】
特に、青色有機ＥＬ素子９６Ｂ、緑色有機ＥＬ素子９６Ｇおよび赤色有機ＥＬ素子９６Ｒでは、図１０および図１１に示した有機ＥＬ素子４００と同様に、例えば、緑色有機ＥＬ素子９６Ｇにおいて下部電極層９６１Ｇと有機層９６３との間に透明導電層９６２Ｇ（厚さＴＧ）が設けられている一方で、青色有機ＥＬ素子９６Ｂおよび赤色有機ＥＬ素子９６Ｒのいずれにおいても下部電極層９６１Ｂ，９６１Ｒと有機層９６３との間に上記した透明導電層９６２Ｇに対応する透明導電層が設けられていない。これにより、下部電極層９６１Ｂ，９６１Ｇ，９６１Ｒと有機層９６３との間の距離は、青色有機ＥＬ素子９６Ｂおよび赤色有機ＥＬ素子９６Ｒよりも緑色有機ＥＬ素子９６Ｇにおいて大きくなっている。
【０１５９】
これらの光学的距離ＬＢ１，ＬＧ，ＬＢ２，ＬＲは、図１０および図１１に示した有機ＥＬ素子４００と同様に、青色発光層９６３２、緑色発光層９６３４、青色発光層９６３６および赤色発光層９６３８においてそれぞれ発生した青色光ＨＢ１、緑色光ＨＧ、青色光ＨＢ２および赤色光ＨＲが下部電極層９６１Ｂ，９６１Ｇ，９６１Ｒにおいて反射されたのちに上部電極層９６４を透過することにより青色有機ＥＬ素子９６Ｂ、緑色有機ＥＬ素子９６Ｇおよび赤色有機ＥＬ素子９６Ｒの外部に放出される過程において、光学的距離ＬＢ１，ＬＧ，ＬＢ２，ＬＲの差異に基づく光の干渉現象を利用して、青色有機ＥＬ素子９６Ｂおよび赤色有機ＥＬ素子９６Ｒにおいて青色光ＨＰＢおよび赤色光ＨＰＲが取り出されると共に、緑色有機ＥＬ素子９６Ｇにおいて緑色光ＨＰＧが取り出されるように設定されている。特に、光学的距離ＬＢ１，ＬＧ，ＬＢ２，ＬＲは、青色光ＨＢ１、緑色光ＨＧ、青色光ＨＢ２および赤色光ＨＲが青色有機ＥＬ素子９６Ｂ、緑色有機ＥＬ素子９６Ｇおよび赤色有機ＥＬ素子９６Ｒの外部に放出される過程において、それらの青色光ＨＢ１，ＨＢ２、緑色光ＨＧおよび赤色光ＨＲの光取り出し効率が光の干渉現象を利用して増加するように個別に設定されている。
【０１６０】
この有機ＥＬディスプレイ５００は、以下のように動作する。すなわち、図２２〜図２５に示したように、青色有機ＥＬ素子９６Ｂ、緑色有機ＥＬ素子９６Ｇおよび赤色有機ＥＬ素子９６Ｒにおいて、外部の駆動電源により下部電極層９６１Ｂ，９６１Ｇ，９６１Ｒと上部電極層９６４との間に電圧が印加されると、図１０および図１１に示した有機ＥＬ素子４００と同様の発光原理により、有機層９６３において発光する。すなわち、青色発光層９６３２において青色光ＨＢ１が発生し、緑色発光層９６３４において緑色光ＨＧが発生し、青色発光層９６３６において青色光ＨＢ２が発生し、赤色発光層９６３８において赤色光ＨＲが発生する。
【０１６１】
この際、青色光ＨＢ１、緑色光ＨＧ、青色発光層ＨＢ２および赤色光ＨＲでは、図１０および図１１に示した有機ＥＬ素子４００と同様に、光学的距離ＬＢ１，ＬＧ，ＬＢ２，ＬＲの差異に基づく光の干渉現象を利用して、青色有機ＥＬ素子９６Ｂ、緑色有機ＥＬ素子９６Ｇおよび赤色有機ＥＬ素子９６Ｒからそれぞれ青色光ＨＰＢ、緑色光ＨＰＧおよび赤色光ＨＰＲが放出され、厳密には、緑色有機ＥＬ素子９６Ｇから緑色光ＨＰＧのみが放出される一方で、青色有機ＥＬ素子９６Ｂおよび赤色有機ＥＬ素子９６Ｒのそれぞれから青色光ＨＰＢおよび赤色光ＨＰＲの双方が放出される。この場合には、青色有機ＥＬ素子９６Ｂから放出された青色光ＨＰＢおよび赤色光ＨＰＲが有機ＥＬディスプレイ５００の外部に放出される過程において、カラーフィルタ５２のうちの青色フィルタ領域５２Ｂを青色光ＨＰＢのみが透過するため、結果として青色有機ＥＬ素子９６Ｂから青色光ＨＰＢのみが放出される。また、赤色有機ＥＬ素子９６Ｒから放出された青色光ＨＰＢおよび赤色光ＨＰＲがやはり有機ＥＬディスプレイ５００の外部に放出される過程において、カラーフィルタ５２のうちの赤色フィルタ領域５２Ｒを赤色光ＨＰＲのみが透過するため、結果として赤色有機ＥＬ素子９６Ｒから赤色光ＨＰＲのみが放出される。なお、緑色有機ＥＬ素子９６Ｇから放出された緑色光ＨＰＧは、カラーフィルタ５２のうちの緑色フィルタ５２Ｇを透過することにより、そのまま有機ＥＬディスプレイ５００の外部に放出される。
【０１６２】
本実施の形態に係る有機ＥＬディスプレイ５００では、青色有機ＥＬ素子９６Ｂ、緑色有機ＥＬ素子９６Ｇおよび赤色有機ＥＬ素子９６Ｒにおいて、光反射性を有する下部電極層９６１Ｂ，９６１Ｇ，９６１Ｒと光透過性を有する上部電極層９６４との間に設けられた有機層９６３が、複数の発光層（青色発光層９６３２，緑色発光層９６３４，青色発光層９６３６，赤色発光層９６３８）が積層された積層構造を有しており、特に、下部電極層９６１Ｂ，９６１Ｇ，９６１Ｒと各発光層との間の距離（光学的距離ＬＢ１，ＬＧ，ＬＢ２，ＬＲ）が、上記した関係式１１（関係式１２〜１５）を満たしていると共に、下部電極層９６１Ｂ，９６１Ｇ，９６１Ｒと有機層９６３との間の距離が、青色有機ＥＬ素子９６Ｂおよび赤色有機ＥＬ素子９６Ｒよりも緑色有機ＥＬ素子９６Ｇにおいて大きくなっているので、図１０および図１１に示した有機ＥＬ素子４００と同様の作用により、青色有機ＥＬ素子９６Ｂ、緑色有機ＥＬ素子９６Ｇおよび赤色有機ＥＬ素子９６Ｒの発光性能が向上する。したがって、表示性能を向上させることができる。
【０１６３】
この場合には、特に、有機層９６３が、複数の発光層として４種類の発光層（青色発光層９６３２，緑色発光層９６３４，青色発光層９６３６，赤色発光層９６３８）を含む場合に、関係式１１中の次数ｍを各発光層ごとに最適化し、すなわち青色発光層９６３２に関する関係式１２中の次数ｍＢ１をｍＢ１＝０、緑色発光層９６３４に関する関係式１３中の次数ｍＧをｍＧ＝１、青色発光層９６３６に関する関係式１４中の次数ｍＢ２をｍＢ２＝１、赤色発光層９６３８に関する関係式１５中の次数ｍＲをｍＲ＝１としたので、やはり図１０および図１１に示した有機ＥＬ素子４００と同様の作用により、発光性能が可能な限り向上する。したがって、表示性能を可能な限り向上させることができる。
【０１６４】
なお、図２２〜図２５に示した有機ＥＬディスプレイ５００では、図１０および図１１に示した有機ＥＬ素子４００に関する変形例として図１２を参照して説明した変形内容を適用することが可能である。すなわち、例えば、図２５と共に、図２４に対応する図２６に示したように、緑色有機ＥＬ素子９６Ｇにおいて下部電極層９６１Ｇと有機層９６３との間に透明導電層９６２Ｇ（厚さＴＧ）を設けた場合と同様に（図２５参照）、青色有機ＥＬ素子９６Ｂにおいて下部電極層９６１Ｂと有機層９６３との間に透明導電層９６２Ｂ（厚さＴＢ）を設けると共に、赤色有機ＥＬ素子９６Ｒにおいて下部電極層９６１Ｒと有機層９６３との間に透明導電層９６２Ｒ（厚さＴＲ）を設けるようにしてもよい（図２６参照）。
【０１６５】
図２５および図２６に示した有機ＥＬ素子９６を備えた有機ＥＬディスプレイ５００においても、上記した関係式１２〜１５を満たすように光学的距離ＬＢ１，ＬＧ，ＬＢ２，ＬＲを設定し、特に、関係式１２〜１５中の次数ｍＢ１，ｍＧ，ｍＢ２，ｍＲを最適化することにより、発光性能を可能な限り向上させることができる。なお、図２６に示した青色有機ＥＬ素子９６Ｂおよび赤色有機ＥＬ素子９６Ｒに関する上記以外の構成は、図２４に示した場合と同様である。
【０１６６】
また、図２２〜図２５に示した有機ＥＬディスプレイ５００では、図１０および図１１に示した有機ＥＬ素子４００に関する変形例として図１３および図１４を参照して説明した変形内容を適用することが可能である。すなわち、例えば、図２４および図２５にそれぞれ対応する図２７および図２８に示したように、有機層９６３が、複数の発光層として５種類の発光層（上記した青色発光層９６３２、緑色発光層９６３４、青色発光層９６３６および赤色発光層９６３８と共に青色発光層９６４０）を含むと共に、それらの５種類の発光層を発光させるための複数の発光補助層（上記した発光補助層９６３１，９６３３，９６３５，９６３７，９６３９と共に発光補助層９６４１）を併せて含んでおり、すなわち下部電極層９６１Ｂ，９６１Ｇ，９６１Ｒに近い側から順に、上記した発光補助層９６３１から発光補助層９６３９に至る一連の層、青色発光層９６４０および発光補助層９６４１が積層された積層構造を有するようにしてもよい。
【０１６７】
図２７および図２８に示した青色有機ＥＬ素子９６Ｂ、緑色有機ＥＬ素子９６Ｇおよび赤色有機ＥＬ素子９６Ｒでは、下部電極層９６１Ｂ，９６１Ｇ，９６１Ｒと有機層９６３を構成している複数の発光層のうちの各発光層との間の距離（光学的距離）が、上記したように、関係式１１を満たしている。すなわち、下部電極層９６１Ｂ，９６１Ｇ，９６１Ｒと青色発光層９６３２、緑色発光層９６３４、青色発光層９６３６および赤色発光層９６３８との間の光学的距離ＬＢ１，ＬＧ，ＬＢ２，ＬＲは、上記した関係式１２〜１５を満たしている。また、下部電極層９６１Ｂ，９６１Ｇ，９６１Ｒと青色発光層９６４０との間の光学的距離ＬＢ３は、上記した関係式１６を満たしている。
【０１６８】
図２７および図２８に示した有機ＥＬ素子９６を備えた有機ＥＬディスプレイ５００においても、上記した関係式１２〜１６を満たすように光学的距離ＬＢ１，ＬＧ，ＬＢ２，ＬＲ，ＬＢ３を設定し、特に、関係式１２〜１６中の次数ｍＢ１，ｍＧ，ｍＢ２，ｍＲ，ｍＢ３を最適化することにより、発光性能を可能な限り向上させることができる。なお、図２７および図２８に示した有機ＥＬ素子９６に関する上記以外の構成は、それぞれ図２４および図２５に示した場合と同様である。
【０１６９】
もちろん、図２７および図２８に示した有機ＥＬ素子９６では、図１３および図１４に示した有機ＥＬ素子４００に関する変形例として図１５を参照して説明した変形内容を適用することが可能である。すなわち、例えば、図２８と共に、図２７に対応する図２９に示したように、緑色有機ＥＬ素子９６Ｇにおいて透明導電層９６２Ｇ（厚さＴＧ）を設けた場合と同様に（図２８参照）、青色有機ＥＬ素子９６Ｂにおいて透明導電層９６２Ｂ（厚さＴＢ）を設けると共に、赤色有機ＥＬ素子９６Ｒにおいて透明導電層９６２Ｒ（厚さＴＲ）を設けるようにしてもよい（図２９参照）。この場合においても、上記した関係式１２〜１６を満たすように光学的距離ＬＢ１，ＬＧ，ＬＢ２，ＬＲ，ＬＢ３を設定し、特に、関係式１２〜１６中の次数ｍＢ１，ｍＧ，ｍＢ２，ｍＲ，ｍＢ３を最適化することにより、発光性能を可能な限り向上させることができる。なお、図２９に示した青色有機ＥＬ素子９６Ｂおよび赤色有機ＥＬ素子９６Ｒに関する上記以外の構成は、図２７に示した場合と同様である。
【０１７０】
また、図２２〜図２５に示した有機ＥＬディスプレイ５００では、図１０および図１１に示した有機ＥＬ素子４００に関する変形例として図１６および図１７を参照して説明した変形内容を適用することが可能である。すなわち、例えば、図２２〜図２５にそれぞれ対応する図３０〜図３３に示したように、下部電極層９６１Ｂ，９６１Ｇ，９６１Ｒと上部電極層９６４Ｂ，９６４Ｇ，９６４Ｒとの間において光反射性および光透過性を反転させることにより、青色有機ＥＬ素子９６Ｂ、緑色有機ＥＬ素子９６Ｇおよび赤色有機ＥＬ素子９６Ｒからそれぞれ下部電極層９６１Ｂ，９６１Ｇ，９６１Ｒを経由して青色光ＨＰＢ、緑色光ＨＰＧおよび赤色光ＨＰＲが放出されるようにしてもよい。この場合には、有機層９６３が、上部電極層９６４Ｂ，９６４Ｇ，９６４Ｒに近い側から順に、発光補助層９６３１、青色発光層９６３２、発光補助層９６３３、緑色発光層９６３４、発光補助層９６３５、青色発光層９６３６、発光補助層９６３７、赤色発光層９６３８および発光補助層９６３９が積層される。
【０１７１】
図３２および図３３に示した有機ＥＬ素子９６では、上部電極層９６４Ｂ，９６４Ｇ，９６４Ｒと有機層９６３を構成している複数の発光層のうちの各発光層（青色発光層９６３２，緑色発光層９６３４，青色発光層９６３６，赤色発光層９６３８）との間の距離（光学的距離）が、図１６および図１７に示した有機ＥＬ素子４００と同様に、上記した関係式１１を満たしている。すなわち、第１に、上部電極層９６４Ｂ，９６４Ｇ，９６４Ｒと青色発光層９６３２との間の光学的距離ＬＢ１は、上記した関係式１２に示したように、例えば、上部電極層９６４Ｂ，９６４Ｇ，９６４Ｒの反射面９６４ＢＭ，９６４ＧＭ，９６４ＲＭ（上部電極層９６４Ｂ，９６４Ｇ，９６４Ｒのうちの発光補助層９６３１に隣接する面）と青色発光層９６３２の発光面９６３２Ｍとの間の距離として規定されている（例えば、次数ｍＢ１＝０）。第２に、上部電極層９６４Ｂ，９６４Ｇ，９６４Ｒと緑色発光層９６３４との間の光学的距離ＬＧは、上記した関係式１３に示したように、例えば、上部電極層９６４Ｂ，９６４Ｇ，９６４Ｒの反射面９６４ＢＭ，９６４ＧＭ，９６４ＲＭと緑色発光層９６３４の発光面９６３４Ｍとの間の距離として規定されている（例えば、次数ｍＧ＝１）。第３に、上部電極層９６４Ｂ，９６４Ｇ，９６４Ｒと青色発光層９６３６との間の光学的距離ＬＢ２は、上記した関係式１４に示したように、例えば、上部電極層９６４Ｂ，９６４Ｇ，９６４Ｒの反射面９６４ＢＭ，９６４ＧＭ，９６４ＲＭと青色発光層９６３６の発光面９６３６Ｍとの間の距離として規定されている（例えば、次数ｍＢ２＝１）。第４に、上部電極層９６４Ｂ，９６４Ｇ，９６４Ｒと赤色発光層９６３８との間の光学的距離ＬＲは、上記した関係式１５に示したように、例えば、上部電極層９６４Ｂ，９６４Ｇ，９６４Ｒの反射面９６４ＢＭ，９６４ＧＭ，９６４ＲＭと赤色発光層９６３８の発光面９６３８Ｍとの間の距離として規定されている（例えば、次数ｍＲ＝１）。
【０１７２】
これらの光学的距離ＬＢ１，ＬＧ，ＬＢ２，ＬＲは、図１６および図１７に示した有機ＥＬ素子４００と同様に、青色発光層９６３２、緑色発光層９６３４、青色発光層９６３６および青色発光層９６３８において発生した青色光ＨＢ１、緑色光ＨＧ、青色光ＨＢ２および赤色光ＨＲが上部電極層９６４Ｂ，９６４Ｇ，９６４Ｒにおいて反射されたのちに下部電極層９６１Ｂ，９６１Ｇ，９６１Ｒを透過することにより青色有機ＥＬ素子９６Ｂ、緑色有機ＥＬ素子９６Ｇおよび赤色有機ＥＬ素子９６Ｒの外部に放出される過程において、それらの青色光ＨＢ１、緑色光ＨＧ、青色光ＨＢ２および赤色光ＨＲの光取り出し効率が光の干渉現象を利用して増加するように個別に設定されている。
【０１７３】
図３０〜図３３に示した有機ＥＬディスプレイ５００においても、光反射性を有する上部電極層９６４Ｂ，９６４Ｇ，９６４Ｒと光透過性を有する下部電極層９６１Ｂ，９６１Ｇ，９６１Ｒとの間に設けられた有機層９６３が、複数の発光層（青色発光層９６３２，緑色発光層９６３４，青色発光層９６３６，赤色発光層９６３８）が積層された積層構造を有しており、特に、上部電極層９６４Ｂ，９６４Ｇ，９６４Ｒと各発光層との間の距離（光学的距離ＬＢ１，ＬＧ，ＬＢ２，ＬＲ）が、上記した関係式１１（関係式１２〜１５）を満たしていると共に、上部電極層９６４Ｂ，９６４Ｇ，９６４Ｒと有機層９６３との間の距離が、青色有機ＥＬ素子９６Ｂおよび赤色有機ＥＬ素子９６Ｒよりも緑色有機ＥＬ素子９６Ｇにおいて大きくなっているので、図１６および図１７に示した有機ＥＬ素子４００と同様の作用により、発光性能を可能な限り向上させることができる。なお、図３０〜図３３に示した有機ＥＬディスプレイ５００に関する上記以外の構成は、それぞれ図２２〜図２５に示した場合と同様である。
【０１７４】
もちろん、図３２〜図３３に示した有機ＥＬ素子９６においても、図１６および図１７に示した有機ＥＬ素子４００に関する変形例として図１８を参照して説明した変形内容を適用することが可能である。すなわち、例えば、図３３と共に、図３２に対応する図３４に示したように、緑色有機ＥＬ素子９６Ｇにおいて透明導電層９６２Ｇ（厚さＴＧ）を設けた場合と同様に（図３３参照）、青色有機ＥＬ素子９６Ｂにおいて透明導電層９６２Ｂ（厚さＴＢ）を設けると共に、赤色有機ＥＬ素子９６Ｒにおいて透明導電層９６２Ｒ（厚さＴＲ）を設けるようにしてもよい（図３４参照）。
【０１７５】
図３３および図３４に示した有機ＥＬ素子９６を備えた有機ＥＬディスプレイ５００においても、上記した関係式１２〜１５を満たすように光学的距離ＬＢ１，ＬＧ，ＬＢ２，ＬＲを設定し、特に、関係式１２〜１５中の次数ｍＢ１，ｍＧ，ｍＢ２，ｍＲを最適化することにより、発光性能を可能な限り向上させることができる。なお、図３４に示した青色有機ＥＬ素子９６Ｂおよび赤色有機ＥＬ素子９６Ｒに関する上記以外の構成は、図３２に示した場合と同様である。
【０１７６】
また、図３０〜図３３に示した有機ＥＬディスプレイ５００では、図１６および図１７に示した有機ＥＬ素子４００に関する変形例として図１９および図２０を参照して説明した変形内容を適用することが可能である。すなわち、例えば、図３２および図３３にそれぞれ対応する図３５および図３６に示したように、有機層９６３が、複数の発光層として５種類の発光層（上記した青色発光層９６３２、緑色発光層９６３４、青色発光層９６３６および赤色発光層９６３８と共に青色発光層９６４０）を含むと共に、それらの５種類の発光層を発光させるための複数の発光補助層（上記した発光補助層９６３１，９６３３，９６３５，９６３７，９６３９と共に発光補助層９６４１）を併せて含んでおり、すなわち上部電極層９６４Ｂ，９６４Ｇ，９６４Ｒに近い側から順に、上記した発光補助層９６３１から発光補助層９６３９に至る一連の層、青色発光層９６４０および発光補助層９６４１が積層された積層構造を有するようにしてもよい。
【０１７７】
図３５および図３６に示した青色有機ＥＬ素子９６Ｂ、緑色有機ＥＬ素子９６Ｇおよび赤色有機ＥＬ素子９６Ｒでは、上部電極層９６４Ｂ，９６４Ｇ，９６４Ｒと有機層９６３を構成している複数の発光層のうちの各発光層との間の距離（光学的距離）が、上記したように、関係式１１を満たしている。すなわち、上部電極層９６４Ｂ，９６４Ｇ，９６４Ｒと青色発光層９６３２、緑色発光層９６３４、青色発光層９６３６および赤色発光層９６３８との間の光学的距離ＬＢ１，ＬＧ，ＬＢ２，ＬＲは、上記した関係式１２〜１５を満たしている（例えば、次数ｍＢ１＝０，ｍＧ＝１，ｍＢ２＝１，ｍＲ＝１）。また、上部電極層９６４Ｂ，９６４Ｇ，９６４Ｒと青色発光層９６４０との間の光学的距離ＬＢ３は、上記した関係式１６（例えば、次数ｍＢ３＝２）を満たしている。
【０１７８】
図３５および図３６に示した有機ＥＬ素子９６を備えた有機ＥＬディスプレイ５００においても、上記した関係式１２〜１６を満たすように光学的距離ＬＢ１，ＬＧ，ＬＢ２，ＬＲ，ＬＢ３を設定し、特に、関係式１２〜１６中の次数ｍＢ１，ｍＧ，ｍＢ２，ｍＲ，ｍＢ３を最適化することにより、発光性能を可能な限り向上させることができる。なお、図３５および図３６に示した有機ＥＬ素子９６に関する上記以外の構成は、それぞれ図３２および図３３に示した場合と同様である。
【０１７９】
もちろん、図３５および図３６に示した有機ＥＬ素子９６では、図１９および図２０に示した有機ＥＬ素子４００に関する変形例として図２１を参照して説明した変形内容を適用することが可能である。すなわち、例えば、図３６と共に、図３５に対応する図３７に示したように、緑色有機ＥＬ素子９６Ｇにおいて透明導電層９６２Ｇ（厚さＴＧ）を設けた場合と同様に（図３６参照）、青色有機ＥＬ素子９６Ｂにおいて透明導電層９６２Ｂ（厚さＴＢ）を設けると共に、赤色有機ＥＬ素子９６Ｒにおいて透明導電層９６２Ｒ（厚さＴＲ）を設けるようにしてもよい（図３７参照）。
【０１８０】
図３６および図３７に示した有機ＥＬ素子９６を備えた有機ＥＬディスプレイ５００においても、上記した関係式１２〜１６を満たすように光学的距離ＬＢ１，ＬＧ，ＬＢ２，ＬＲ，ＬＢ３を設定し、特に、関係式１２〜１６中の次数ｍＢ１，ｍＧ，ｍＢ２，ｍＲ，ｍＢ３を最適化することにより、発光性能を可能な限り向上させることができる。なお、図３７に示した青色有機ＥＬ素子９６Ｂおよび赤色有機ＥＬ素子９６Ｒに関する上記以外の構成は、図３５に示した場合と同様である。
【実施例】
【０１８１】
次に、本発明に関する実施例について説明する。
【０１８２】
（実施例１）
以下の手順を経ることにより、上記第１の実施の形態において説明した本発明の一連の有機ＥＬ素子を代表して、図１に示した有機ＥＬ素子を製造した。
【０１８３】
すなわち、ガラス製の基板を準備したのち、まず、基板上に光反射性を有する銀合金を選択的に成膜することにより、陽極としての下部電極層を１００ｎｍの厚さとなるようにパターン形成した。続いて、下部電極層のうちの２ｍｍ×２ｍｍ角の中央領域（発光領域）を部分的に露出させるようにポリイミドを選択的に成膜することにより、発光用のセルを構成した。続いて、上記した発光領域に対応する箇所にパターン成膜用の開口が設けられたマスクを使用しながら、１０-4Ｐａ以下の真空雰囲気中において真空蒸着法を使用して、下部電極層上に、発光補助層（ｍ−ＭＴＤＡＴＡ／α−ＮＰＤ）、青色発光層（ＤＰＶＢｉにＢＣｚＶＢｉを５体積％混合させて共蒸着）、発光補助層（Ａｌｑ／ＬｉＦ／ＭｇＡｇ／α−ＮＰＤ）、青色発光層（ＤＰＶＢｉにＢＣｚＶＢｉを５体積％混合させて共蒸着）、発光補助層（Ａｌｑ／ＬｉＦ／ＭｇＡｇ／α−ＮＰＤ）、緑色発光層（Ａｌｑにクマリン６を１体積％混合させて共蒸着）、発光補助層（Ａｌｑ／ＬｉＦ／ＭｇＡｇ／α−ＮＰＤ）、赤色発光層（ＡｌｑにＢＳＮを３０体積％混合させて共蒸着）および発光補助層（Ａｌｑ／ＬｉＦ／ＭｇＡｇ）をこの順に積層させることにより、４種類の発光層（２つの青色発光層，緑色発光層，赤色発光層）を含む積層構造を有するように有機層を形成した。この有機層を形成する際には、上記した関係式２〜５を満たすようにし、特に、光学的距離ＬＢ１，ＬＢ２，ＬＧ，ＬＲに対応する物理的距離（膜厚）がそれぞれ３０ｎｍ，１４０ｎｍ，１９０ｎｍ，２５０ｎｍとなるようにしたと共に、次数ｍＢ１，ｍＢ２，ｍＧ，ｍＲがそれぞれｍＢ１＝０，ｍＢ２＝１，ｍＧ＝１，ｍＲ＝１となるようにした。最後に、有機層上に光透過性を有する酸化亜鉛を含む透明導電膜を選択的に成膜することにより、陰極としての上部電極層を８０ｎｍの厚さとなるようにパターン形成した。これにより、本発明の実施例１の有機ＥＬ素子が完成した。
【０１８４】
（実施例２）
以下の手順を経ることにより、上記第２の実施の形態において説明した本発明の一連の有機ＥＬ素子を代表して、図１０および図１１に示した有機ＥＬ素子（青色有機ＥＬ素子，緑色有機ＥＬ素子，赤色有機ＥＬ素子）を製造した。
【０１８５】
すなわち、基板上に陽極としての下部電極層をパターン形成したのち、緑色有機ＥＬ素子の形成領域のみにおいて下部電極層上にＩＴＯを選択的に成膜することにより、透明導電層を９０ｎｍの厚さとなるように形成した。続いて、下部電極層上に、発光補助層（ｍ−ＭＴＤＡＴＡ／α−ＮＰＤ）、青色発光層（ＤＰＶＢｉにＢＣｚＶＢｉを５体積％混合させて共蒸着）、発光補助層（Ａｌｑ／ＬｉＦ／ＭｇＡｇ／α−ＮＰＤ）、緑色発光層（Ａｌｑにクマリン６を１体積％混合させて共蒸着）、発光補助層（Ａｌｑ／ＬｉＦ／ＭｇＡｇ／α−ＮＰＤ）、青色発光層（ＤＰＶＢｉにＢＣｚＶＢｉを５体積％混合させて共蒸着）、発光補助層（Ａｌｑ／ＬｉＦ／ＭｇＡｇ／α−ＮＰＤ）、赤色発光層（ＡｌｑにＢＳＮを３０体積％混合させて共蒸着）および発光補助層（Ａｌｑ／ＬｉＦ／ＭｇＡｇ）をこの順に積層させることにより、４種類の発光層（青色発光層，緑色発光層，青色発光層，赤色発光層）を含む積層構造を有するように有機層を形成した。この有機層を形成する際には、上記した関係式１２〜１５を満たすようにし、特に、距離ＬＢ１，ＬＧ，ＬＢ２，ＬＲに対応する物理的距離（膜厚）がそれぞれ３０ｎｍ，９５ｎｍ，１４５ｎｍ，２４０ｎｍとなるようにしたと共に、次数ｍＢ１，ｍＧ，ｍＢ２，ｍＲがそれぞれｍＢ１＝０，ｍＧ＝１，ｍＢ２＝１，ｍＲ＝１となるようにした。上記した物理的膜厚＝９５ｎｍ，１４５ｎｍ，２４０ｎｍは、透明導電層の膜厚（＝９０ｎｍ）を加味して設定した膜厚である。最後に、有機層上に陰極としての上部電極層を１２０ｎｍの厚さとなるようにパターン形成した。これにより、本発明の実施例の有機ＥＬ素子（青色有機ＥＬ素子，緑色有機ＥＬ素子，赤色有機ＥＬ素子）が完成した。なお、実施例２の有機ＥＬ素子の製造手順に関する上記以外の手順（材料、厚さおよび製法など）は、実施例１と同様である。
【０１８６】
これらの本発明の実施例１，２の有機ＥＬ素子の諸性能を調べたところ、以下の結果が得られた。
【０１８７】
まず、実施例１の有機ＥＬ素子の基礎的な発光性能を調べたところ、図３８に示した結果が得られた。図３８は、実施例１の有機ＥＬ素子の発光スペクトルを表しており、「横軸」は波長λ（ｎｍ）を示し、「縦軸」はスペクトルの強度Ｉ（−）を示している。上記した「基本的な発光性能」とは、色調整用のカラーフィルタを使用しない場合における有機ＥＬ素子の発光性能であり、すなわち色調に関する性能上の実力である。なお、実施例１の有機ＥＬ素子の発光性能を調べる際には、その発光性能を比較評価するために、図２に示した比較例の有機ＥＬ素子を製造することにより、その比較例の有機ＥＬ素子の発光性能も併せて調べた。この比較例の有機ＥＬ素子を製造する際には、光透過性を有するＩＴＯを使用して下部電極層を１８０ｎｍの厚さとなるように形成した点を除き、実施例１の有機ＥＬ素子の製造手順と同様の手順を経た。図３８では、「３８１」が実施例１の有機ＥＬ素子の発光スペクトルを示し、「３８２」が比較例の有機ＥＬ素子の発光スペクトルを示している。ただし、比較例の有機ＥＬ素子に関しては、基板の上方および下方に放出された光の和に基づく発光スペクトルを示している。
【０１８８】
図３８に示した結果から判るように、実施例１の有機ＥＬ素子（３８１）および比較例の有機ＥＬ素子（３８２）では、いずれにおいても白色光が得られ、すなわち可視光に対応する波長λ＝約４００ｎｍ〜８００ｎｍの波長域においてブロードなスペクトルが観察された。しかしながら、実施例１の有機ＥＬ素子と比較例の有機ＥＬ素子との間でスペクトルの強度Ｉを比較すると、その強度Ｉは全体に渡って比較例よりも実施例１において大きくなった。すなわち、比較例の有機ＥＬ素子では、有機層において発生した青色光ＨＢ１，ＨＢ２、緑色光ＨＧおよび赤色光ＨＲが下部電極層および上部電極層の双方を透過して外部に放出されることにより、青色光ＨＢ１，ＨＢ２、緑色光ＨＧおよび赤色光ＨＲの本来の強度（発光強度）に基づいて光Ｈの強度が決定されるため、その光Ｈの強度が増強されない。これに対して、実施例１の有機ＥＬ素子では、有機層において発生した青色光ＨＢ１，ＨＢ２、緑色光ＨＧおよび赤色光ＨＲが下部電極層において反射されたのちに上部電極層を透過して外部に放出されることにより、光の干渉現象を利用して青色光ＨＢ１，ＨＢ２、緑色光ＨＧおよび赤色光ＨＲの本来の強度（発光強度）よりも大きくなるように光Ｈの強度が決定されるため、その光Ｈの強度が増強される。このことから、本発明の実施例１の有機ＥＬ素子では、光反射性を有する下部電極層と光透過性を有する上部電極層との間に設けられた有機層が複数の発光層（２つの青色発光層，緑色発光層，赤色発光層）が積層された積層構造を有しており、特に、下部電極層と各発光層との間の距離（光学的距離ＬＢ１，ＬＢ２，ＬＧ，ＬＲ）が上記した関係式２〜５を満たしていることにより、白色光を放出する観点において発光性能を向上させることが可能であることが確認された。
【０１８９】
また、実施例１の有機ＥＬ素子の実用的な発光性能を調べたところ、図３９に示した結果が得られた。図３９は、実施例１の有機ＥＬ素子の他の発光スペクトルを表しており、図３８に示した発光スペクトルに対応している。上記した「実用的な発光性能」とは、色調整用のカラーフィルタを使用した場合における有機ＥＬ素子の発光性能であり、すなわち有機ＥＬディスプレイに搭載された場合における色調に関する性能上の実力である。この有機ＥＬ素子の発光性能を調べる際には、図４２に示した透過特性を有する３色のカラーフィルタを使用し、すなわち有機ＥＬ素子において発生した白色光の中からカラーフィルタを通じて赤色光、緑色光および青色光を選択的に取り出すことにより、各色の発光スペクトルを調べた。図４２は、カラーフィルタの透過特性を表しており、「横軸」は波長λ（ｎｍ）を示し、「縦軸」は透過率Ｔ（％）を示している。図４２では、「４２Ｂ」が青色フィルタ領域の透過特性を示し、「４２Ｇ」が緑色フィルタ領域の透過特性を示し、「４２Ｒ」が赤色フィルタ領域の透過特性を示している。なお、実施例１の有機ＥＬ素子の発光性能を調べる際には、その発光性能を比較評価するために、上記した比較例の有機ＥＬ素子（図２参照）に関してもカラーフィルタを使用することにより、その比較例の有機ＥＬ素子の発光性能も併せて調べた。図３９では、「３９Ｂ１」，「３９Ｇ１」，「３９Ｒ１」がそれぞれ実施例１の有機ＥＬ素子に関する青色光、緑色光および赤色光の発光スペクトルを示し、「３９Ｂ２」，「３９Ｇ２」，「３９Ｒ２」がそれぞれ比較例の有機ＥＬ素子に関する青色光、緑色光および赤色光の発光スペクトルを示している。
【０１９０】
図３９に示した結果から判るように、実施例１の有機ＥＬ素子（３９Ｂ１，３９Ｇ１，３９Ｒ１）および比較例の有機ＥＬ素子（３９Ｂ２，３９Ｇ２，３９Ｒ２）では、いずれにおいても青色光、緑色光および赤色光が得られ、すなわち青色に対応する波長λ＝約４６０ｎｍ近傍、緑色に対応する波長λ＝約５３０ｎｍ近傍、ならびに赤色に対応する波長λ＝約６２０ｎｍ近傍においてスペクトルピークが観察された。しかしながら、実施例２の有機ＥＬ素子と比較例の有機ＥＬ素子との間でスペクトルの強度Ｉを比較すると、その強度Ｉは、青色光（３９Ｂ１，３９Ｂ２）、緑色光（３９Ｇ１，３９Ｇ２）および赤色光（３９Ｒ１，３９Ｒ２）のいずれにおいても、比較例よりも実施例１において大きくなった。このことは、図３８に示した結果を参照して説明したように、比較例の有機ＥＬ素子では光Ｈの強度が増強されないのに対して、実施例１の有機ＥＬ素子では光の干渉現象を利用して光Ｈの強度が増強されることを反映している。このことから、本発明の実施例１の有機ＥＬ素子では、カラーフィルタを使用することにより、青色光、緑色光および赤色光を放出する観点において発光性能を向上させることが可能であることが確認された。確認までに、実施例１の有機ＥＬ素子に関して色度特性を調べたところ、（ｘ，ｙ）色度値において青色：（０．１３２，０．０８１）、緑色：（０．２４２，０．６３４）、赤色：（０．６６３，０．３３４）であり、ＮＴＳＣ比８４％の色再現範囲であった。
【０１９１】
続いて、実施例２の有機ＥＬ素子の基礎的な発光性能を調べたところ、図４０に示した結果が得られた。図４０は、実施例２の有機ＥＬ素子の発光スペクトルを表しており、図３８に示した発光スペクトルに対応している。図４０では、「４０Ｂ」，「４０Ｇ」，「４０Ｒ」がそれぞれ青色光、緑色光および赤色光の発光スペクトルを示している。
【０１９２】
図４０に示した結果から判るように、実施例２の有機ＥＬ素子では、青色光のスペクトルピーク（４０Ｂ）、緑色光のスペクトルピーク（４０Ｇ）および赤色のスペクトルピーク（４０Ｒ）が観察され、すなわち青色有機ＥＬ素子および赤色有機ＥＬ素子から青色光および赤色光が放出されたと共に、緑色有機ＥＬ素子から緑色光が放出された。より具体的には、互いに同様の構造を有している青色有機ＥＬ素子および赤色有機ＥＬ素子では、光の干渉現象を利用して青色および赤色の光成分量が増加される（緑色の光成分量が減少される）ことにより、青色および赤色が強調された光（青色光および赤色光）が放出された。一方、青色有機ＥＬ素子および赤色有機ＥＬ素子とは異なる構造を有している（光取り出し条件が異なっている）緑色有機ＥＬ素子では、光の干渉現象を利用して緑色の光成分量が増加される（青色および赤色の光成分量が減少される）ことにより、緑色が強調された光（緑色光）が放出された。しかも、この場合には、青色光、緑色光および赤色光に対応する３つのスペクトルピークが明瞭に区別して観察され、すなわち３つのスペクトルピークが互いに異なる波長λにおいて実施例１と同等の強度Ｉを有していることから明らかなように、青色光、緑色光および赤色光の強度が確保された。このことから、本発明の実施例２の有機ＥＬ素子（青色有機ＥＬ素子，緑色有機ＥＬ素子，赤色有機ＥＬ素子）では、光反射性を有する下部電極層と光透過性を有する上部電極層との間に設けられた有機層が複数の発光層（青色発光層，緑色発光層，赤色発光層）が積層された積層構造を有しており、特に、下部電極層と各発光層との間の距離（光学的距離ＬＢ１，ＬＧ，ＬＢ２，ＬＲ）が上記した関係式１２〜１５を満たしていることにより、青色光、緑色光および赤色光を放出する観点において発光性能を向上させることが可能であることが確認された。
【０１９３】
また、実施例２の有機ＥＬ素子の実用的な発光性能を調べたところ、図４１に示した結果が得られた。図４１は、実施例２の有機ＥＬ素子の他の発光スペクトルを表しており、図３８に示した発光スペクトルに対応している。この有機ＥＬ素子の発光性能を調べる際には、やはり図４２に示した透過特性を有する３色のカラーフィルタを使用した。図４１では、「４１Ｂ」，「４１Ｇ」，「４１Ｒ」が青色光、緑色光および赤色光の発光スペクトルを示している。
【０１９４】
図４１に示した結果から判るように、実施例２の有機ＥＬ素子では、青色光のスペクトルピーク（４１Ｂ）、緑色光のスペクトルピーク（４１Ｇ）および赤色のスペクトルピーク（４１Ｒ）が観察された。すなわち、青色有機ＥＬ素子、緑色有機ＥＬ素子および赤色有機ＥＬ素子からカラーフィルタを通じてそれぞれ青色光、緑色光および赤色光が放出された。この場合には、特に、カラーフィルタを使用しなかった場合（図４０参照）と比較して、青色有機ＥＬ素子および赤色有機ＥＬ素子のそれぞれから放出される緑色の光成分量が著しく減少したため、青色光および赤色光の色純度が向上した。このことから、本発明の実施例２の有機ＥＬ素子（青色有機ＥＬ素子，緑色有機ＥＬ素子，赤色有機ＥＬ素子）では、カラーフィルタを使用することにより、青色光、緑色光および赤色光を放出する観点において発光性能を向上させることが可能であることが確認された。確認までに、実施例２の有機ＥＬ素子に関して色度特性を調べたところ、（ｘ，ｙ）色度値において青色：（０．１３０，０．０７６）、緑色：（０．２２２，０．７０１）、赤色：（０．６６２，０．３３５）であり、ＮＴＳＣ比９９％の色再現範囲であった。
【０１９５】
以上、いくつかの実施の形態および実施例を挙げて本発明の有機発光素子および有機発光装置を説明したが、その本発明の有機発光素子および有機発光装置の構成は、上記各実施の形態および実施例において説明した態様に限定されず、光反射性を有する一方の電極層と光透過性を有する他方の電極層との間に設けられた有機層が複数の発光層が積層された積層構造を有しており、特に、一方の電極層と各発光層との間の距離（光学的距離）が上記した関係式１，１１を満たすことにより発光性能を向上させることが可能な限り、自由に変更可能である。
【０１９６】
特に、上記第２の実施の形態では、下部電極層１０と有機層７０との間の距離が、赤色有機ＥＬ素子４００Ｒおよび青色有機ＥＬ素子４００ＢＧよりも緑色有機発光素子４００Ｇにおいて大きくなるようにしたが、必ずしもこれに限られるものではなく、下部電極層１０と有機層７０との間の距離は、青色有機発光素子４００Ｂ、緑色有機発光素子４００Ｇおよび赤色有機発光素子４００Ｒのうちの少なくとも１つにおいて異なっている限り、自由に変更可能である。すなわち、下部電極層１０と有機層７０との間の距離は、青色有機発光素子４００Ｂ、緑色有機発光素子４００Ｇおよび赤色有機発光素子４００Ｒの間において、自由に設定可能である。ただし、上記したように、青色光ＨＰＢ、緑色光ＨＰＧおよび赤色光ＨＰＲの色純度を向上させることを考慮すれば、下部電極層１０と有機層７０との間の距離は、赤色有機ＥＬ素子４００Ｒおよび青色有機ＥＬ素子４００ＢＧよりも緑色有機発光素子４００Ｇにおいて大きくなっているのが好ましい。
【産業上の利用可能性】
【０１９７】
本発明に係る有機発光素子および有機発光装置は、いわゆる有機ＥＬディスプレイに適用することが可能である。
【図面の簡単な説明】
【０１９８】
【図１】本発明の第１の実施の形態に係る有機ＥＬディスプレイに搭載される有機ＥＬ素子の断面構成を模式的に表す断面図である。
【図２】図１に示した有機ＥＬ素子に対する比較例としての有機ＥＬ素子の断面構成を表す断面図である。
【図３】図１に示した有機ＥＬ素子の構成に関する変形例を表す断面図である。
【図４】本発明の第１の実施の形態に係る有機ＥＬディスプレイの全体の断面構成を表す断面図である。
【図５】図４に示した有機ＥＬディスプレイのうちの主要部（有機ＥＬ素子）の断面構成を拡大して模式的に表す断面図である。
【図６】図４に示した有機ＥＬディスプレイのうちの主要部（有機ＥＬ素子）の断面構成を拡大して詳細に表す断面図である。
【図７】本発明の第１の実施の形態に係る有機ＥＬディスプレイの構成に関する変形例を表す断面図である。
【図８】図７に示した有機ＥＬディスプレイのうちの主要部（有機ＥＬ素子）の断面構成を拡大して模式的に表す断面図である。
【図９】図７に示した有機ＥＬディスプレイのうちの主要部（有機ＥＬ素子）の断面構成を拡大して詳細に表す断面図である。
【図１０】本発明の第２の実施の形態に係る有機ＥＬディスプレイに搭載される有機ＥＬ素子（青色有機ＥＬ素子および赤色有機ＥＬ素子）の断面構成を模式的に表す断面図である。
【図１１】本発明の第２の実施の形態に係る有機ＥＬディスプレイに搭載される有機ＥＬ素子（緑色有機ＥＬ素子）の断面構成を模式的に表す断面図である。
【図１２】図１０に示した有機ＥＬ素子（青色有機ＥＬ素子および赤色有機ＥＬ素子）の構成に関する変形例を表す断面図である。
【図１３】図１０に示した有機ＥＬ素子（青色有機ＥＬ素子および赤色有機ＥＬ素子）の構成に関する他の変形例を表す断面図である。
【図１４】図１１に示した有機ＥＬ素子（緑色有機ＥＬ素子）の構成に関する変形例を表す断面図である。
【図１５】図１３に示した有機ＥＬ素子（青色有機ＥＬ素子および赤色有機ＥＬ素子）の構成に関する変形例を表す断面図である。
【図１６】図１０に示した有機ＥＬ素子（青色有機ＥＬ素子および赤色有機ＥＬ素子）の構成に関するさらに他の変形例を表す断面図である。
【図１７】図１１に示した有機ＥＬ素子（緑色有機ＥＬ素子）の構成に関する他の変形例を表す断面図である。
【図１８】図１６に示した有機ＥＬ素子（青色有機ＥＬ素子および赤色有機ＥＬ素子）の構成に関する変形例を表す断面図である。
【図１９】図１６に示した有機ＥＬ素子（青色有機ＥＬ素子および赤色有機ＥＬ素子）の構成に関する変形例を表す断面図である。
【図２０】図１７に示した有機ＥＬ素子（緑色有機ＥＬ素子）の構成に関する変形例を表す断面図である。
【図２１】図１９に示した有機ＥＬ素子（青色有機ＥＬ素子および赤色有機ＥＬ素子）の構成に関する変形例を表す断面図である。
【図２２】本発明の第２の実施の形態に係る有機ＥＬディスプレイの全体の断面構成を表す断面図である。
【図２３】図２２に示した有機ＥＬディスプレイのうちの主要部（有機ＥＬ素子）の断面構成を拡大して模式的に表す断面図である。
【図２４】図２２に示した有機ＥＬディスプレイのうちの主要部（青色有機ＥＬ素子および赤色有機ＥＬ素子）の断面構成を拡大して詳細に表す断面図である。
【図２５】図２２に示した有機ＥＬディスプレイのうちの主要部（緑色有機ＥＬ素子）の断面構成を拡大して詳細に表す断面図である。
【図２６】図２４に示した有機ＥＬ素子（青色有機ＥＬ素子および赤色有機ＥＬ素子）の構成に関する変形例を表す断面図である。
【図２７】図２４に示した有機ＥＬ素子（青色有機ＥＬ素子および赤色有機ＥＬ素子）の構成に関する他の変形例を表す断面図である。
【図２８】図２５に示した有機ＥＬ素子（緑色有機ＥＬ素子）の構成に関する変形例を表す断面図である。
【図２９】図２７に示した有機ＥＬ素子（青色有機ＥＬ素子および赤色有機ＥＬ素子）の構成に関する変形例を表す断面図である。
【図３０】図２２に示した有機ＥＬディスプレイの構成に関する変形例を表す断面図である。
【図３１】図２３に示した有機ＥＬ素子の構成に関する変形例を表す断面図である。
【図３２】図２４に示した有機ＥＬ素子（青色有機ＥＬ素子および赤色有機ＥＬ素子）の構成に関するさらに他の変形例を表す断面図である。
【図３３】図２５に示した有機ＥＬ素子（緑色有機ＥＬ素子）の構成に関する他の変形例を表す断面図である。
【図３４】図３２に示した有機ＥＬ素子（青色有機ＥＬ素子および赤色有機ＥＬ素子）の構成に関する変形例を表す断面図である。
【図３５】図３２に示した有機ＥＬ素子（青色有機ＥＬ素子および赤色有機ＥＬ素子）の構成に関する他の変形例を表す断面図である。
【図３６】図３３に示した有機ＥＬ素子（緑色有機ＥＬ素子）の構成に関する変形例を表す断面図である。
【図３７】図３５に示した有機ＥＬ素子（青色有機ＥＬ素子および赤色有機ＥＬ素子）の構成に関する変形例を表す断面図である。
【図３８】実施例１および比較例の有機ＥＬ素子の発光スペクトルを表す図である。
【図３９】実施例１および比較例の有機ＥＬ素子の他の発光スペクトルを表す図である。
【図４０】実施例２の有機Ｅ素子の発光スペクトルを表す図である。
【図４１】実施例２の有機ＥＬ素子の他の発光スペクトルを表す図である。
【図４２】カラーフィルタの透過特性を表す図である。
【符号の説明】
【０１９９】
１…基板、２Ｂ，２Ｇ，２Ｒ，９６２Ｂ，９６２Ｇ，９６２Ｒ…透明導電層、１０，４６１Ｂ，４６１Ｇ，４６１Ｒ，９６１Ｂ，９６１Ｇ，９６１Ｒ…下部電極層、１０Ｍ，３０Ｍ，４６１ＢＭ，４６１ＧＭ，４６１ＲＭ，４６４ＢＭ，４６４ＧＭ，４６４ＲＭ，９６１ＢＭ，９６１ＧＭ，９６１ＲＭ…反射面、２０，７０，４６３，９６３…有機層、２１，２３，２５，２７，２９，７１，７３，７５，７７，７９，８１，４６３１，４６３３，４６３５，４６３７，４６３９，９６３１，９６３３，９６３５，９６３７，９６３９，９６４１…発光補助層、２２，２４，７２，７６，８０，４６３２，４６３４，９６３２，９６３６，９６４０…青色発光層、２２Ｍ，２４Ｍ，２６Ｍ，２８Ｍ，７２Ｍ，７４Ｍ，７６Ｍ，７８Ｍ，８０Ｍ，４６３２Ｍ，４６３４Ｍ，４６３６Ｍ，４６３８Ｍ，９６３２Ｍ，９６３４Ｍ，９６３６Ｍ，９６３８Ｍ，９６４０Ｍ…発光面、２６，７４，４６３６，９６３４…緑色発光層、２８，７８，４６３８，９６３８…赤色発光層、３０，４６４，４６４Ｂ，４６４Ｇ，４６４Ｒ，９６４，９６４Ｂ，９６４Ｇ，９６４Ｒ…上部電極層、４０…駆動パネル、４１…駆動用基板、４２…ＴＦＴ、４３…層間絶縁層、４４…駆動配線、４５…平坦化絶縁層、４６，９６，１００…有機ＥＬ素子、４６Ｂ，９６Ｂ…青色有機ＥＬ素子、４６Ｇ，９６Ｇ…緑色有機ＥＬ素子、４６Ｒ，９６Ｒ…赤色有機ＥＬ素子、４７…層内絶縁層、４８…保護層、５０…封止パネル、５１…封止用基板、５２…カラーフィルタ、５２Ｂ…青色フィルタ領域、５２Ｇ…緑色フィルタ領域、５２Ｒ…赤色フィルタ領域、６０…接着層、３００…有機ＥＬディスプレイ、Ｈ…光、ＨＢ１，ＨＢ２，ＨＢ３，ＨＰＢ…青色光、ＨＧ，ＨＰＧ…緑色光、ＨＲ，ＨＰＲ…赤色光、ＨＰ…画像表示用の光、ＬＢ１，ＬＢ２，ＬＢ３，ＬＧ，ＬＲ…光学的距離、ＮＢ，ＮＧ，ＮＲ…発光点、ＴＢ，ＴＧ，ＴＲ…厚さ。
【図１】
2007012369.tif 000006
【図２】
2007012369.tif 000007
【図３】
2007012369.tif 000008
【図４】
2007012369.tif 000009
【図５】
2007012369.tif 000010
【図６】
2007012369.tif 000011
【図７】
2007012369.tif 000012
【図８】
2007012369.tif 000013
【図９】
2007012369.tif 000014
【図１０】
2007012369.tif 000015
【図１１】
2007012369.tif 000016
【図１２】
2007012369.tif 000017
【図１３】
2007012369.tif 000018
【図１４】
2007012369.tif 000019
【図１５】
2007012369.tif 000020
【図１６】
2007012369.tif 000021
【図１７】
2007012369.tif 000022
【図１８】
2007012369.tif 000023
【図１９】
2007012369.tif 000024
【図２０】
2007012369.tif 000025
【図２１】
2007012369.tif 000026
【図２２】
2007012369.tif 000027
【図２３】
2007012369.tif 000028
【図２４】
2007012369.tif 000029
【図２５】
2007012369.tif 000030
【図２６】
2007012369.tif 000031
【図２７】
2007012369.tif 000032
【図２８】
2007012369.tif 000033
【図２９】
2007012369.tif 000034
【図３０】
2007012369.tif 000035
【図３１】
2007012369.tif 000036
【図３２】
2007012369.tif 000037
【図３３】
2007012369.tif 000038
【図３４】
2007012369.tif 000039
【図３５】
2007012369.tif 000040
【図３６】
2007012369.tif 000041
【図３７】
2007012369.tif 000042
【図３８】
2007012369.tif 000043
【図３９】
2007012369.tif 000044
【図４０】
2007012369.tif 000045
【図４１】
2007012369.tif 000046
【図４２】
2007012369.tif 000047